(57)【要約】      （修正有）【課題】並置されたＷＬＡＮデバイスとＷＷＡＮデバイスの通信を調整して、ＷＬＡＮデバイスとＷＷＡＮデバイスとの干渉を最小にするための機能を提供する。【解決手段】ＷＷＡＮデバイス（ＬＴＥデバイス１０２）は、ＷＷＡＮ通信動作を実行するためのＷＷＡＮデバイスと関連付けられるＷＷＡＮ通信期間と、ＷＬＡＮ通信動作を実行するためのＷＬＡＮデバイス１１０と関連付けられるＷＬＡＮ通信期間とを決定する。ＷＷＡＮ通信期間が進行中であると判定されたことに応答して、ＷＷＡＮ通信動作は、ＷＷＡＮデバイスにおいて実行される。ＷＷＡＮ通信期間が進行中ではないと判定されたことに応答して、ＷＷＡＮデバイスは、ＷＷＡＮ通信動作の実行を遅らせる。【選択図】図１
2015130675.tif 000002
【特許請求の範囲】
【請求項１】
通信システムのワイヤレスワイドエリアネットワーク（ＷＷＡＮ）デバイスから、前記ＷＷＡＮデバイスと関連付けられるＷＷＡＮ通信スケジュールを、前記通信システムのワイヤレスローカルエリアネットワーク（ＷＬＡＮ）デバイスに提供することであって、前記ＷＷＡＮデバイスが前記ＷＬＡＮデバイスと結合される、提供することと、
前記ＷＷＡＮデバイスで、ＷＷＡＮ通信動作を実行するための前記ＷＷＡＮデバイスと関連付けられるＷＷＡＮ通信期間と、ＷＬＡＮ通信動作を実行するための前記ＷＬＡＮデバイスと関連付けられるＷＬＡＮ通信期間とを、前記ＷＬＡＮデバイスから受信された共存信号に少なくとも一部基づいて決定することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中であると判定したことに応答して、前記１つまたは複数のＷＷＡＮ通信動作を実行することと、
前記ＷＷＡＮデバイスで、前記ＷＷＡＮ通信期間が進行中ではないと判定したことに応答して、前記１つまたは複数のＷＷＡＮ通信動作を実行しないと決定することとを備える、方法。
【請求項２】
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、請求項１に記載の方法。
【請求項３】
前記ＷＬＡＮ通信期間および前記ＷＷＡＮ通信期間が、連続的であり、周期的に繰り返す期間である、請求項１に記載の方法。
【請求項４】
前記ＷＷＡＮ通信期間が進行中であると判定したことに応答して、前記１つまたは複数のＷＷＡＮ通信動作を前記実行することがさらに、
前記ＷＷＡＮデバイスの接続される基地局から、１つまたは複数のＷＷＡＮパケットを受信することと、
前記ＷＷＡＮデバイスの接続される前記基地局へ、１つまたは複数のＷＷＡＮパケットを送信することとのうちの少なくとも１つを備える、請求項１に記載の方法。
【請求項５】
前記ＷＷＡＮ通信期間が進行中であると判定したことに応答して、
前記ＷＷＡＮデバイスで、制御権を前記ＷＬＡＮデバイスへとハンドオフして前記ＷＬＡＮ通信期間を開始するかどうかを判定することと、
制御権を前記ＷＬＡＮデバイスへとハンドオフして前記ＷＬＡＮ通信期間を開始すると判定したことに応答して、前記基地局へ送信するためのＷＷＡＮデータが前記ＷＷＡＮデバイスにないことを示す制御メッセージを、前記ＷＷＡＮデバイスの接続される基地局に送信することと、
制御権を前記ＷＬＡＮデバイスにハンドオフしないと判定したことに応答して、前記１つまたは複数のＷＷＡＮ通信動作の実行を継続することとを備える、請求項１に記載の方法。
【請求項６】
前記基地局へ送信するための前記ＷＷＡＮデータが前記ＷＷＡＮデバイスにないことを示す前記制御メッセージを前記送信したことに応答して、
前記ＷＷＡＮデバイスで、前記ＷＬＡＮ通信期間のために低出力状態に切り替えることをさらに備える、請求項５に記載の方法。
【請求項７】
制御権を前記ＷＬＡＮデバイスにハンドオフして前記ＷＬＡＮ通信期間を開始するかどうかを前記判定することがさらに、
前記ＷＷＡＮデバイスで、前記ＷＷＡＮ通信期間が所定の期間内に終わるようにスケジューリングされているかどうかを判定することを備え、前記所定の期間が、前記基地局へ送信するための前記ＷＷＡＮデータが前記ＷＷＡＮデバイスにないことを示す前記制御メッセージと関連付けられる送信継続時間に少なくとも一部基づく、請求項５に記載の方法。
【請求項８】
通信システムのワイヤレスワイドエリアネットワーク（ＷＷＡＮ）デバイスで、ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＷＡＮデバイスから、前記ＷＬＡＮデバイスと関連付けられる前記ＷＬＡＮ通信期間と前記ＷＷＡＮデバイスと関連付けられる前記ＷＷＡＮ通信期間とを示す共存信号を、前記ＷＬＡＮデバイスに提供することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中であると判定したことに応答して、前記１つまたは複数のＷＷＡＮ通信動作を実行することと、
前記ＷＷＡＮデバイスで、前記ＷＷＡＮ通信期間が進行中ではないと判定したことに応答して、前記１つまたは複数のＷＷＡＮ通信動作を実行しないと決定することとを備える、方法。
【請求項９】
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、請求項８に記載の方法。
【請求項１０】
前記ＷＬＡＮデバイスと関連付けられる前記ＷＬＡＮ通信期間と前記ＷＷＡＮデバイスと関連付けられる前記ＷＷＡＮ通信期間とを示す前記共存信号を前記ＷＷＡＮデバイスに前記提供することが、
前記ＷＬＡＮデバイスと前記ＷＷＡＮデバイスとの間に結合される共存インターフェースを介して、前記共存信号を送信することを備える、請求項８に記載の方法。
【請求項１１】
前記ＷＷＡＮデバイスの接続される基地局へと、前記ＷＷＡＮ通信期間の長さと前記ＷＷＡＮ通信期間の周期とのうちの少なくとも１つを送信することをさらに備える、請求項８に記載の方法。
【請求項１２】
前記ＷＷＡＮデバイスで、前記ＷＬＡＮデバイスから前記ＷＷＡＮデバイスへ提供されたデジタル制御信号に少なくとも一部基づいて、前記ＷＬＡＮデバイスを検出することをさらに備える、請求項８に記載の方法。
【請求項１３】
前記ＷＷＡＮデバイスと関連付けられる前記ＷＷＡＮ通信期間と前記ＷＬＡＮデバイスと関連付けられる前記ＷＬＡＮ通信期間とを前記決定することが、ＷＬＡＮビーコン間隔と、ＷＷＡＮフレーム構造と、ＷＷＡＮ通信スケジュールと、ＷＬＡＮ通信スケジュールとのうちの少なくとも１つに基づく、請求項８に記載の方法。
【請求項１４】
前記ＷＷＡＮ通信期間が進行中であると判定したことに応答して、
前記ＷＷＡＮデバイスで、制御権を前記ＷＬＡＮデバイスへとハンドオフして前記ＷＬＡＮ通信期間を開始するかどうかを判定することと、
制御権を前記ＷＬＡＮデバイスへとハンドオフして前記ＷＬＡＮ通信期間を開始すると判定したことに応答して、前記基地局へ送信するためのＷＷＡＮデータが前記ＷＷＡＮデバイスにないことを示す制御メッセージを、前記ＷＷＡＮデバイスの接続される基地局に送信することと、
制御権を前記ＷＬＡＮデバイスにハンドオフしないと判定したことに応答して、前記１つまたは複数のＷＷＡＮ通信動作の実行を継続することとをさらに備える、請求項８に記載の方法。
【請求項１５】
制御権を前記ＷＬＡＮデバイスにハンドオフして前記ＷＬＡＮ通信期間を開始するかどうかを前記判定することがさらに、
前記ＷＷＡＮデバイスで、前記ＷＷＡＮ通信期間が所定の期間内に終わるようにスケジューリングされているかどうかを判定することを備え、前記所定の期間が、前記基地局へ送信するための前記ＷＷＡＮデータが前記ＷＷＡＮデバイスにないことを示す前記制御メッセージと関連付けられる送信継続時間に少なくとも一部基づく、請求項１４に記載の方法。
【請求項１６】
通信システムのワイヤレスワイドエリアネットワーク（ＷＷＡＮ）デバイスで、ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＬＡＮ通信期間と前記ＷＷＡＮ通信期間の各々と関連付けられる、１つまたは複数の送信副期間と１つまたは複数の受信副期間とを決定することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中ではないと判定したことに応答して、前記１つまたは複数のＷＷＡＮ通信動作を実行しないと決定することと、
前記ＷＷＡＮ通信期間が進行中であると判定したことに応答して、
前記ＷＷＡＮデバイスで、前記ＷＷＡＮ通信期間と関連付けられる前記１つまたは複数の送信副期間の１つが進行中かどうかを判定することと、
前記ＷＷＡＮデバイスで、前記ＷＷＡＮ通信期間と関連付けられる前記１つまたは複数の送信副期間の前記１つが進行中であると判定したことに応答して、１つまたは複数のＷＷＡＮ送信動作を実行することと、
前記ＷＷＡＮデバイスで、前記ＷＷＡＮ通信期間と関連付けられる前記１つまたは複数の送信副期間の前記１つが進行中ではないと判定したことに応答して、前記１つまたは複数の受信副期間の１つの間に１つまたは複数のＷＷＡＮ受信動作を実行することとを備える、方法。
【請求項１７】
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、請求項１６に記載の方法。
【請求項１８】
前記ＷＷＡＮデバイスと関連付けられる前記ＷＷＡＮ通信期間と前記ＷＬＡＮデバイスと関連付けられる前記ＷＬＡＮ通信期間とを前記決定することが、
前記ＷＷＡＮデバイスで、前記ＷＷＡＮデバイスと関連付けられる前記ＷＷＡＮ通信期間と前記ＷＬＡＮデバイスと関連付けられる前記ＷＬＡＮ通信期間とを計算することと、
前記ＷＷＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供することとを備える、請求項１６に記載の方法。
【請求項１９】
前記ＷＷＡＮデバイスと関連付けられる前記ＷＷＡＮ通信期間と前記ＷＬＡＮデバイスと関連付けられる前記ＷＬＡＮ通信期間とを前記決定することが、
前記ＷＷＡＮデバイスで、前記ＷＬＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示すものを受信することを備える、請求項１６に記載の方法。
【請求項２０】
前記ＷＷＡＮデバイスの接続される基地局へと、前記ＷＬＡＮ通信期間、前記ＷＷＡＮ通信期間、ならびに、前記ＷＬＡＮ通信期間と前記ＷＷＡＮ通信期間の各々と関連付けられる前記１つまたは複数の送信副期間および１つまたは複数の受信副期間のうちの、少なくとも１つを示すものを送信することをさらに備える、請求項１６に記載の方法。
【請求項２１】
前記ＷＷＡＮデバイスから、前記ＷＬＡＮデバイスと関連付けられる前記ＷＬＡＮ通信期間と、前記ＷＷＡＮデバイスと関連付けられる前記ＷＷＡＮ通信期間と、送信副期間の長さと、受信副期間の長さとのうちの少なくとも１つを示す、共存信号を前記ＷＬＡＮデバイスに提供することをさらに備える、請求項１６に記載の方法。
【請求項２２】
前記ＷＷＡＮデバイスと関連付けられる送信副期間の長さおよび前記ＷＷＡＮデバイスと関連付けられる受信副期間の長さに少なくとも一部基づいて、前記ＷＷＡＮデバイスで、前記ＷＬＡＮ通信期間と前記ＷＷＡＮ通信期間の各々と関連付けられる、前記１つまたは複数の送信副期間と前記１つまたは複数の受信副期間とを決定することをさらに備える、請求項１６に記載の方法。
【請求項２３】
前記ＷＷＡＮ通信期間と関連付けられる前記１つまたは複数の送信副期間の前記１つが進行中であると判定したことに応答して、
前記ＷＷＡＮ通信期間が所定の期間内に終わるようにスケジューリングされているかどうかを判定することと、
前記ＷＷＡＮ通信期間が前記所与の期間内に終わるようにスケジューリングされていると判定したことに応答して、前記基地局へ送信するためのＷＷＡＮデータが前記ＷＷＡＮデバイスにないことを示す制御メッセージを、前記ＷＷＡＮデバイスの接続される基地局に提供することとをさらに備える、請求項１６に記載の方法。
【請求項２４】
前記所定の期間が、前記基地局へ送信するための前記ＷＷＡＮデータが前記ＷＷＡＮデバイスにないことを示す前記制御メッセージを送信することと関連付けられる送信継続時間に少なくとも一部基づく、請求項２３に記載の方法。
【請求項２５】
前記ＷＬＡＮデバイスと結合される前記ＷＷＡＮデバイスが、
共通の集積回路内で前記ＷＬＡＮデバイスと並置された前記ＷＷＡＮデバイスと、
共通の回路基板上で前記ＷＬＡＮデバイスと並置された前記ＷＷＡＮデバイスと、
互いに近接した別個の回路基板上に実装される、前記ＷＷＡＮデバイスおよび前記ＷＬＡＮデバイスとのうちの１つを備える、請求項１６に記載の方法。
【請求項２６】
通信システムのワイヤレスワイドエリアネットワーク（ＷＷＡＮ）デバイスであって、
プロセッサと、
前記プロセッサに結合されたネットワークインターフェースと、
前記プロセッサと前記ネットワークインターフェースに結合されたＷＷＡＮ共存ユニットとを備え、前記ＷＷＡＮ共存ユニットが、
ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定し、前記ＷＷＡＮデバイスが前記ＷＬＡＮデバイスと結合され、前記ＷＷＡＮ共存ユニットがさらに、
前記ＷＬＡＮ通信期間と前記ＷＷＡＮ通信期間の各々と関連付けられる、１つまたは複数の送信副期間と１つまたは複数の受信副期間とを決定し、
前記ＷＷＡＮ通信期間が進行中かどうかを判定して、１つまたは複数のＷＷＡＮ通信動作を実行するかどうかを判定し、
前記ＷＷＡＮ通信期間が進行中ではないと前記ＷＷＡＮ共存ユニットが判定したことに応答して、前記１つまたは複数のＷＷＡＮ通信動作を実行しないと決定し、
前記ＷＷＡＮ通信期間が進行中であると前記ＷＷＡＮ共存ユニットが判定したことに応答して、
前記ＷＷＡＮ通信期間と関連付けられる前記１つまたは複数の送信副期間の１つが進行中かどうかを判定し、
前記ＷＷＡＮデバイスで、前記ＷＷＡＮ通信期間と関連付けられる前記１つまたは複数の送信副期間の前記１つが進行中であると前記ＷＷＡＮ共存ユニットが判定したことに応答して、１つまたは複数のＷＷＡＮ送信動作を実行し、
前記ＷＷＡＮデバイスで、前記ＷＷＡＮ通信期間と関連付けられる前記１つまたは複数の送信副期間の前記１つが進行中ではないと前記ＷＷＡＮ共存ユニットが判定したことに応答して、前記１つまたは複数の受信副期間の１つの間に１つまたは複数のＷＷＡＮ受信動作を実行するように動作可能である、ＷＷＡＮデバイス。
【請求項２７】
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、請求項２６に記載のＷＷＡＮデバイス。
【請求項２８】
前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットが、
前記ＷＷＡＮデバイスと関連付けられる前記ＷＷＡＮ通信期間と前記ＷＬＡＮデバイスと関連付けられる前記ＷＬＡＮ通信期間とを計算し、
前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供するように動作可能な前記ＷＷＡＮ共存ユニットを備える、請求項２６に記載のＷＷＡＮデバイス。
【請求項２９】
前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットが、
前記ＷＬＡＮデバイスから受信された共存信号に基づいて、前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットを備える、請求項２６に記載のＷＷＡＮデバイス。
【請求項３０】
前記ＷＷＡＮ通信期間と関連付けられる前記１つまたは複数の送信副期間の前記１つが進行中であると前記ＷＷＡＮ共存ユニットが判定したことに応答して、前記ＷＷＡＮ共存ユニットがさらに、
前記ＷＷＡＮ通信期間が所定の期間内に終わるようにスケジューリングされているかどうかを判定し、
前記ＷＷＡＮ通信期間が前記所与の期間内に終わるようにスケジューリングされていると前記ＷＷＡＮ共存ユニットが判定したことに応答して、前記基地局へ送信するためのＷＷＡＮデータが前記ＷＷＡＮデバイスにないことを示す制御メッセージを、前記ＷＷＡＮデバイスの接続される基地局に提供するように動作可能である、請求項２６に記載のＷＷＡＮデバイス。
【請求項３１】
前記所定の期間が、前記基地局へ送信するための前記ＷＷＡＮデータが前記ＷＷＡＮデバイスにないことを示す前記制御メッセージを送信することと関連付けられる送信継続時間に少なくとも一部基づく、請求項３０に記載のＷＷＡＮデバイス。
【請求項３２】
１つまたは複数のプロセッサによって実行されると、前記１つまたは複数のプロセッサに動作を実行させる命令を記憶した、１つまたは複数の機械可読記憶媒体であって、前記動作が、
ワイヤレスワイドエリアネットワーク（ＷＷＡＮ）通信動作を実行するための通信システムのＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＬＡＮ通信期間と前記ＷＷＡＮ通信期間の各々と関連付けられる、１つまたは複数の送信副期間と１つまたは複数の受信副期間とを決定することと、
前記ＷＷＡＮ通信期間が進行中かどうかを判定して、１つまたは複数のＷＷＡＮ通信動作を実行するかどうかを判定することと、
前記ＷＷＡＮ通信期間が進行中ではないと判定したことに応答して、前記１つまたは複数のＷＷＡＮ通信動作を実行しないと決定することと、
前記ＷＷＡＮ通信期間が進行中であると判定したことに応答して、
前記ＷＷＡＮ通信期間と関連付けられる前記１つまたは複数の送信副期間の１つが進行中かどうかを判定することと、
前記ＷＷＡＮ通信期間と関連付けられる前記１つまたは複数の送信副期間の前記１つが進行中であると判定したことに応答して、１つまたは複数のＷＷＡＮ送信動作を実行することと、
前記ＷＷＡＮ通信期間と関連付けられる前記１つまたは複数の送信副期間の前記１つが進行中ではないと判定したことに応答して、前記１つまたは複数の受信副期間の１つの間に１つまたは複数のＷＷＡＮ受信動作を実行することとを備える、機械可読記憶媒体。
【請求項３３】
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、請求項３２に記載の機械可読記憶媒体。
【請求項３４】
前記ＷＷＡＮデバイスと関連付けられる前記ＷＷＡＮ通信期間と前記ＷＬＡＮデバイスと関連付けられる前記ＷＬＡＮ通信期間とを決定する前記動作が、
前記ＷＷＡＮデバイスと関連付けられる前記ＷＷＡＮ通信期間と前記ＷＬＡＮデバイスと関連付けられる前記ＷＬＡＮ通信期間とを計算することと、
前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供することとを備える、請求項３２に記載の機械可読記憶媒体。
【請求項３５】
前記ＷＷＡＮデバイスと関連付けられる前記ＷＷＡＮ通信期間と前記ＷＬＡＮデバイスと関連付けられる前記ＷＬＡＮ通信期間とを決定する前記動作が、
前記ＷＬＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示すものを受信することを備える、請求項３２に記載の機械可読記憶媒体。
【発明の詳細な説明】
【技術分野】
【０００１】
関連出願
本出願は、２０１０年１２月３１日に出願された米国特許出願第１２／９８３，２１９号の優先権の利益を主張する。
【背景技術】
【０００２】
本発明の主題の実施形態は全般に、ワイヤレス通信の分野に関し、より詳細には、並置されたＷＬＡＮ通信デバイスおよびＷＷＡＮ通信デバイスのための共存機構に関する。
【０００３】
ワイヤレスデバイスが互いに近接している場合、一方のワイヤレスデバイスからの通信が、もう一方のワイヤレスデバイスからの通信と干渉し得る。たとえば、ワイヤレスワイドエリアネットワーク（ＷＷＡＮ）デバイス（たとえば、Ｌｏｎｇ−Ｔｅｒｍ  Ｅｖｏｌｕｔｉｏｎ（ＬＴＥ）デバイス）およびワイヤレスローカルエリアネットワーク（ＷＬＡＮ）デバイスが互いに近接して動作する場合、ＷＷＡＮデバイスの使用する一部の周波数バンドが、ＷＬＡＮデバイスの使用する周波数バンドに近すぎることがあり、その結果ＷＬＡＮデバイスとＷＷＡＮデバイスとの間に干渉が生じる。たとえば、ＷＬＡＮデバイスに近接して位置するＬＴＥデバイスを有するシステムでは、ＬＴＥデバイスの使用する一部の周波数バンド（たとえば、ＬＴＥバンド３８およびＬＴＥバンド４０）は、ＷＬＡＮ周波数バンド（たとえば、ＷＬＡＮ  ２．４ＧＨｚ  ＩＳＭバンド）に非常に近いことがある。さらに、一方のワイヤレスデバイスの無線プロトコルが、もう一方のワイヤレスデバイスの無線プロトコルと干渉し得る。
【発明の概要】
【０００４】
いくつかの実施形態では、方法は、通信システムのＷＷＡＮデバイスから、ＷＷＡＮデバイスと関連付けられるＷＷＡＮ通信スケジュールを、通信システムのＷＬＡＮデバイスへ提供することであって、ＷＷＡＮデバイスがＷＬＡＮデバイスと結合される、提供することと、ＷＷＡＮデバイスにおいて、ＷＷＡＮ通信動作を実行するためのＷＷＡＮデバイスと関連付けられるＷＷＡＮ通信期間と、ＷＬＡＮ通信動作を実行するためのＷＬＡＮデバイスと関連付けられるＷＬＡＮ通信期間とを、ＷＬＡＮデバイスから受信された共存信号に少なくとも一部基づいて決定することと、ＷＷＡＮデバイスで、ＷＷＡＮ通信期間が進行中かどうかを判定し、１つまたは複数のＷＷＡＮ通信動作を実行すべきかどうかを判定することと、ＷＷＡＮデバイスで、ＷＷＡＮ通信期間が進行中であると判定されたことに応答して１つまたは複数のＷＷＡＮ通信動作を実行することと、ＷＷＡＮデバイスで、ＷＷＡＮ通信期間が進行中ではないと判定されたことに応答して１つまたは複数のＷＷＡＮ通信動作を実行しないと判定することとを、備える。
【０００５】
いくつかの実施形態では、ＷＬＡＮデバイスは、電気電子技術者協会（ＩＥＥＥ）８０２．１１ｂデバイス、ＩＥＥＥ８０２．１１ｇデバイス、またはＩＥＥＥ８０２．１１ｎデバイスを備え、ＷＷＡＮデバイスは、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える。
【０００６】
いくつかの実施形態では、ＷＬＡＮ通信期間およびＷＷＡＮ通信期間は、連続的であり、周期的に繰り返す期間である。
【０００７】
いくつかの実施形態では、ＷＷＡＮ通信期間が進行中であると判定されたことに応答して１つまたは複数のＷＷＡＮ通信動作を前記実行することはさらに、ＷＷＡＮデバイスの接続される基地局から１つまたは複数のＷＷＡＮパケットを受信することと、ＷＷＡＮデバイスの接続される基地局へ１つまたは複数のＷＷＡＮパケットを送信することとの、少なくとも１つを備える。
【０００８】
いくつかの実施形態では、ＷＷＡＮ通信期間が進行中であると判定されたことに応答して、方法はさらに、ＷＷＡＮデバイスで、制御権をＷＬＡＮデバイスへとハンドオフして、ＷＬＡＮ通信期間を開始するかどうかを判定することと、ＷＬＡＮデバイスへと制御権をハンドオフしてＷＬＡＮ通信期間を開始すると判定したことに応答して、ＷＷＡＮデバイスの接続される基地局へ、基地局へ送信するためのＷＷＡＮデータがＷＷＡＮデバイスにないことを示す制御メッセージを送信することと、制御権をＷＬＡＮデバイスへハンドオフしないと判定したことに応答して、１つまたは複数のＷＷＡＮ通信動作の実行を継続することとを、備える。
【０００９】
いくつかの実施形態では、基地局へ送信するためのＷＷＡＮデータがＷＷＡＮデバイスにないことを示す制御メッセージを前記送信したことに応答して、方法はさらに、ＷＷＡＮデバイスで、ＷＬＡＮ通信期間のために低出力状態に切り替えることを備える。
【００１０】
いくつかの実施形態では、制御権をＷＬＡＮデバイスへとハンドオフしてＷＬＡＮ通信期間を開始するかどうか前記判定することはさらに、ＷＷＡＮデバイスで、ＷＷＡＮ通信期間が所定の期間内に終わるようにスケジューリングされているかどうかを判定することを備え、所定の期間は、基地局へ送信するためのＷＷＡＮデータがＷＷＡＮデバイスにないことを示す制御メッセージと関連付けられる送信継続時間に少なくとも一部基づく。
【００１１】
いくつかの実施形態では、方法は、通信システムのＷＷＡＮデバイスで、ＷＷＡＮ通信動作を実行するためのＷＷＡＮデバイスと関連付けられるＷＷＡＮ通信期間と、ＷＬＡＮ通信動作を実行するための通信システムのＷＬＡＮデバイスと関連付けられるＷＬＡＮ通信期間とを、決定することであって、ＷＷＡＮデバイスがＷＬＡＮデバイスと結合される、決定することと、ＷＷＡＮデバイスから、ＷＬＡＮデバイスと関連付けられるＷＬＡＮ通信期間とＷＷＡＮデバイスと関連付けられるＷＷＡＮ通信期間とを示す共存信号を、ＷＬＡＮデバイスに提供することと、ＷＷＡＮデバイスで、ＷＷＡＮ通信期間が進行中かどうかを判定し、１つまたは複数のＷＷＡＮ通信動作を実行するかどうかを判定することと、ＷＷＡＮデバイスで、ＷＷＡＮ通信期間が進行中であると判定されたことに応答して１つまたは複数のＷＷＡＮ通信動作を実行することと、ＷＷＡＮデバイスで、ＷＷＡＮ通信期間が進行中ではないと判定されたことに応答して１つまたは複数のＷＷＡＮ通信動作を実行しないと決定することとを、備える。
【００１２】
いくつかの実施形態では、ＷＬＡＮデバイスは、電気電子技術者協会（ＩＥＥＥ）８０２．１１ｂデバイス、ＩＥＥＥ８０２．１１ｇデバイス、またはＩＥＥＥ８０２．１１ｎデバイスを備え、ＷＷＡＮデバイスは、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える。
【００１３】
いくつかの実施形態では、ＷＬＡＮデバイスと関連付けられるＷＬＡＮ通信期間とＷＷＡＮデバイスと関連付けられるＷＷＡＮ通信期間とを示す共存信号をＷＷＡＮデバイスに前記提供することは、ＷＬＡＮデバイスとＷＷＡＮデバイスとの間に結合される共存インターフェースを介して、共存信号を送信することを備える。
【００１４】
いくつかの実施形態では、方法はさらに、ＷＷＡＮデバイスの接続される基地局へ、ＷＷＡＮ通信期間の長さとＷＷＡＮ通信期間の周期とのうちの少なくとも１つを送信することを備える。
【００１５】
いくつかの実施形態では、方法はさらに、ＷＷＡＮデバイスで、ＷＬＡＮデバイスからＷＷＡＮデバイスへ提供されたデジタル制御信号に少なくとも一部基づいて、ＷＬＡＮデバイスを検出することを備える。
【００１６】
いくつかの実施形態では、ＷＷＡＮデバイスと関連付けられるＷＷＡＮ通信期間とＷＬＡＮデバイスと関連付けられるＷＬＡＮ通信期間とを前記決定することは、ＷＬＡＮビーコン間隔と、ＷＷＡＮフレーム構造と、ＷＷＡＮ通信スケジュールと、ＷＬＡＮ通信スケジュールとのうちの少なくとも１つに基づく。
【００１７】
いくつかの実施形態では、ＷＷＡＮ通信期間が進行中であると判定されたことに応答して、方法はさらに、ＷＷＡＮデバイスで、制御権をＷＬＡＮデバイスへとハンドオフして、ＷＬＡＮ通信期間を開始するかどうかを判定することと、ＷＬＡＮデバイスへと制御権をハンドオフしてＷＬＡＮ通信期間を開始すると判定したことに応答して、ＷＷＡＮデバイスが接続される基地局へ、基地局へ送信するためのＷＷＡＮデータがＷＷＡＮデバイスにないことを示す制御メッセージを送信することと、制御権をＷＬＡＮデバイスへハンドオフしないと判定したことに応答して、１つまたは複数のＷＷＡＮ通信動作の実行を継続することとを、備える。
【００１８】
いくつかの実施形態では、制御権をＷＬＡＮデバイスへとハンドオフしてＷＬＡＮ通信期間を開始するかどうか前記判定することは、ＷＷＡＮデバイスで、ＷＷＡＮ通信期間が所定の期間内に終わるようにスケジューリングされているかどうかを判定することを備え、所定の期間は、基地局へ送信するためのＷＷＡＮデータがＷＷＡＮデバイスにないことを示す制御メッセージと関連付けられる送信継続時間に少なくとも一部基づく。
【００１９】
いくつかの実施形態では、方法は、通信システムのＷＷＡＮデバイスで、ＷＷＡＮ通信動作を実行するためのＷＷＡＮデバイスと関連付けられるＷＷＡＮ通信期間と、ＷＬＡＮ通信動作を実行するための通信システムのＷＬＡＮデバイスと関連付けられるＷＬＡＮ通信期間とを決定することであって、ＷＷＡＮデバイスがＷＬＡＮデバイスに結合される、決定することと、ＷＬＡＮ通信期間およびＷＷＡＮ通信期間の各々と関連付けられる、１つまたは複数の送信副期間と１つまたは複数の受信副期間とを決定することと、ＷＷＡＮデバイスで、ＷＷＡＮ通信期間が進行中であるかどうかを判定し、１つまたは複数のＷＷＡＮ通信動作を実行するかどうかを判定することと、ＷＷＡＮデバイスで、ＷＷＡＮ通信期間が進行中ではないと判定したことに応答して、１つまたは複数のＷＷＡＮ通信動作を実行しないと判定することと、ＷＷＡＮ通信期間が進行中であると判定したことに応答して、ＷＷＡＮデバイスで、ＷＷＡＮ通信期間と関連付けられる１つまたは複数の送信副期間の１つが進行中かどうかを判定することと、ＷＷＡＮデバイスで、ＷＷＡＮ通信期間と関連付けられる１つまたは複数の送信副期間の１つが進行中であると判定したことに応答して、１つまたは複数のＷＷＡＮ送信動作を実行することと、ＷＷＡＮデバイスで、ＷＷＡＮ通信期間と関連付けられる１つまたは複数の送信副期間の１つが進行中ではないと判定したことに応答して、１つまたは複数の受信副期間の１つの間に、１つまたは複数のＷＷＡＮ受信動作を実行することとを備える。
【００２０】
いくつかの実施形態では、ＷＬＡＮデバイスは、電気電子技術者協会（ＩＥＥＥ）８０２．１１ｂデバイス、ＩＥＥＥ８０２．１１ｇデバイス、またはＩＥＥＥ８０２．１１ｎデバイスを備え、ＷＷＡＮデバイスは、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える。
【００２１】
いくつかの実施形態では、ＷＷＡＮデバイスと関連付けられるＷＷＡＮ通信期間とＷＬＡＮデバイスと関連付けられるＷＬＡＮ通信期間とを前記決定することは、ＷＷＡＮデバイスで、ＷＷＡＮデバイスと関連付けられるＷＷＡＮ通信期間とＷＬＡＮデバイスと関連付けられるＷＬＡＮ通信期間とを計算することと、ＷＷＡＮデバイスから、ＷＷＡＮデバイスと関連付けられるＷＷＡＮ通信期間とＷＬＡＮデバイスと関連付けられるＷＬＡＮ通信期間とを示す共存信号をＷＬＡＮデバイスに提供することとを備える。
【００２２】
いくつかの実施形態では、ＷＷＡＮデバイスと関連付けられるＷＷＡＮ通信期間とＷＬＡＮデバイスと関連付けられるＷＬＡＮ通信期間とを前記決定することは、ＷＬＡＮデバイスから、ＷＷＡＮデバイスで、ＷＷＡＮデバイスと関連付けられるＷＷＡＮ通信期間とＷＬＡＮデバイスと関連付けられるＷＬＡＮ通信期間とを示すものを受信することを備える。
【００２３】
いくつかの実施形態では、方法はさらに、ＷＷＡＮデバイスの接続される基地局へと、ＷＬＡＮ通信期間、ＷＷＡＮ通信期間、ならびに、ＷＬＡＮ通信期間とＷＷＡＮ通信期間の各々と関連付けられる１つまたは複数の送信副期間および１つまたは複数の受信副期間のうちの、少なくとも１つを示すものを送信することを備える。
【００２４】
いくつかの実施形態では、方法はさらに、ＷＷＡＮデバイスから、ＷＬＡＮデバイスと関連付けられるＷＬＡＮ通信期間と、ＷＷＡＮデバイスと関連付けられるＷＷＡＮ通信期間と、送信副期間の長さと、受信副期間の長さとのうちの少なくとも１つを示す共存信号を、ＷＬＡＮデバイスに提供することを備える。
【００２５】
いくつかの実施形態では、方法はさらに、ＷＷＡＮデバイスと関連付けられる送信副期間の長さおよびＷＷＡＮデバイスと関連付けられる受信副期間の長さに少なくとも一部基づいて、ＷＷＡＮデバイスで、ＷＬＡＮ通信期間とＷＷＡＮ通信期間の各々と関連付けられる、１つまたは複数の送信副期間と１つまたは複数の受信副期間とを決定することを備える。
【００２６】
いくつかの実施形態では、ＷＷＡＮ通信期間と関連付けられる１つまたは複数の送信副期間の１つが進行中であると判定したことに応答して、方法はさらに、ＷＷＡＮ通信期間が所定の期間内に終わるようにスケジューリングされているかどうかを判定することと、ＷＷＡＮ通信期間が所定の期間内に終わるようにスケジューリングされていると判定したことに応答して、ＷＷＡＮデバイスの接続されている基地局へと、基地局へ送信するためのＷＷＡＮデータがＷＷＡＮデバイスにないことを示す制御メッセージを、提供することとを備える。
【００２７】
いくつかの実施形態では、所定の期間は、基地局へ送信するためのＷＷＡＮデータがＷＷＡＮデバイスにないことを示す制御メッセージを送信することと関連付けられる送信継続時間に少なくとも一部基づく。
【００２８】
いくつかの実施形態では、ＷＬＡＮデバイスと結合されたＷＷＡＮデバイスは、共通の集積回路内でＷＬＡＮデバイスと並置されたＷＷＡＮデバイスと、共通の回路基板上でＷＬＡＮデバイスと並置されたＷＷＡＮデバイスと、互いに近接した別個の回路基板上で実装されるＷＷＡＮデバイスおよびＷＬＡＮデバイスとのうちの、１つを備える。
【００２９】
いくつかの実施形態では、通信システムのＷＷＡＮデバイスは、プロセッサと、プロセッサに結合されたネットワークインターフェースと、プロセッサおよびネットワークインターフェースに結合されたＷＷＡＮ共存ユニットとを備える。ＷＷＡＮ共存ユニットは、ＷＷＡＮ通信動作を実行するためのＷＷＡＮデバイスと関連付けられるＷＷＡＮ通信期間と、ＷＬＡＮ通信動作を実行するための通信システムのＷＬＡＮデバイスと関連付けられるＷＬＡＮ通信期間とを決定し、ＷＷＡＮデバイスがＷＬＡＮデバイスに結合され、ＷＷＡＮ共存ユニットはさらに、ＷＬＡＮ通信期間およびＷＷＡＮ通信期間の各々と関連付けられる、１つまたは複数の送信副期間と１つまたは複数の受信副期間とを決定し、ＷＷＡＮ通信期間が進行中であるかどうかを判定して１つまたは複数のＷＷＡＮ通信動作を実行するかどうかを判定し、ＷＷＡＮ通信期間が進行中ではないとＷＷＡＮ共存ユニットが判定したことに応答して、１つまたは複数のＷＷＡＮ通信動作を実行しないと判定し、ＷＷＡＮ通信期間が進行中であるとＷＷＡＮ共存ユニットが判定したことに応答して、ＷＷＡＮ通信期間と関連付けられる１つまたは複数の送信副期間の１つが進行中かどうかを判定し、ＷＷＡＮデバイスで、ＷＷＡＮ通信期間と関連付けられる１つまたは複数の送信副期間の１つが進行中であるとＷＷＡＮ共存ユニットが判定したことに応答して、１つまたは複数のＷＷＡＮ送信動作を実行し、ＷＷＡＮデバイスで、ＷＷＡＮ通信期間と関連付けられる１つまたは複数の送信副期間の１つが進行中ではないとＷＷＡＮ共存ユニットが判定したことに応答して、１つまたは複数の受信副期間の１つの間に、１つまたは複数のＷＷＡＮ受信動作を実行するように動作可能である。
【００３０】
いくつかの実施形態では、ＷＬＡＮデバイスは、電気電子技術者協会（ＩＥＥＥ）８０２．１１ｂデバイス、ＩＥＥＥ８０２．１１ｇデバイス、またはＩＥＥＥ８０２．１１ｎデバイスを備え、ＷＷＡＮデバイスは、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える。
【００３１】
いくつかの実施形態では、ＷＷＡＮデバイスと関連付けられるＷＷＡＮ通信期間とＷＬＡＮデバイスと関連付けられるＷＬＡＮ通信期間とを決定するように動作可能なＷＷＡＮ共存ユニットは、ＷＷＡＮデバイスと関連付けられるＷＷＡＮ通信期間とＷＬＡＮデバイスと関連付けられるＷＬＡＮ通信期間とを計算し、ＷＷＡＮデバイスと関連付けられるＷＷＡＮ通信期間とＷＬＡＮデバイスと関連付けられるＷＬＡＮ通信期間とを示す共存信号をＷＬＡＮデバイスに提供するように動作可能な、ＷＷＡＮ共存ユニットを備える。
【００３２】
いくつかの実施形態では、ＷＷＡＮデバイスと関連付けられるＷＷＡＮ通信期間とＷＬＡＮデバイスと関連付けられるＷＬＡＮ通信期間とを決定するように動作可能なＷＷＡＮ共存ユニットは、ＷＬＡＮデバイスから受信された共存信号に基づいて、ＷＷＡＮデバイスと関連付けられるＷＷＡＮ通信期間とＷＬＡＮデバイスと関連付けられるＷＬＡＮ通信期間とを決定するように動作可能なＷＷＡＮ共存ユニットを備える。
【００３３】
いくつかの実施形態では、ＷＷＡＮ通信期間と関連付けられる１つまたは複数の送信副期間の１つが進行中であるとＷＷＡＮ共存ユニットが判定したことに応答して、ＷＷＡＮ共存ユニットはさらに、ＷＷＡＮ通信期間が所定の期間内に終わるようにスケジューリングされているかどうかを判定し、ＷＷＡＮ通信期間が所定の期間内に終わるようにスケジューリングされているとＷＷＡＮ共存ユニットが判定したことに応答して、ＷＷＡＮデバイスの接続されている基地局へと、基地局へ送信するためのＷＷＡＮデータがＷＷＡＮデバイスにないことを示す制御メッセージを、提供するように動作可能である。
【００３４】
いくつかの実施形態では、所定の期間は、基地局へ送信するためのＷＷＡＮデータがＷＷＡＮデバイスにないことを示す制御メッセージを送信することと関連付けられる送信継続時間に少なくとも一部基づく。
【００３５】
いくつかの実施形態では、１つまたは複数のプロセッサによって実行されると、１つまたは複数のプロセッサに動作を実行させる命令を記憶した、１つまたは複数の機械可読記憶媒体であって、その動作は、ＷＷＡＮ通信動作を実行するための通信システムのＷＷＡＮデバイスと関連付けられるＷＷＡＮ通信期間と、ＷＬＡＮ通信動作を実行するための通信システムのＷＬＡＮデバイスと関連付けられるＷＬＡＮ通信期間とを決定することであって、ＷＷＡＮデバイスがＷＬＡＮデバイスに結合される、決定することと、ＷＬＡＮ通信期間およびＷＷＡＮ通信期間の各々と関連付けられる、１つまたは複数の送信副期間と１つまたは複数の受信副期間とを決定することと、ＷＷＡＮ通信期間が進行中であるかどうかを判定し、１つまたは複数のＷＷＡＮ通信動作を実行するかどうかを判定することと、ＷＷＡＮ通信期間が進行中ではないと判定したことに応答して、１つまたは複数のＷＷＡＮ通信動作を実行しないと判定することと、ＷＷＡＮ通信期間が進行中であると判定したことに応答して、ＷＷＡＮ通信期間と関連付けられる１つまたは複数の送信副期間の１つが進行中かどうかを判定することと、ＷＷＡＮ通信期間と関連付けられる１つまたは複数の送信副期間の１つが進行中であると判定したことに応答して、１つまたは複数のＷＷＡＮ送信動作を実行することと、ＷＷＡＮ通信期間と関連付けられる１つまたは複数の送信副期間の１つが進行中ではないと判定したことに応答して、１つまたは複数の受信副期間の１つの間に、１つまたは複数のＷＷＡＮ受信動作を実行することとを備える。
【００３６】
いくつかの実施形態では、ＷＬＡＮデバイスは、電気電子技術者協会（ＩＥＥＥ）８０２．１１ｂデバイス、ＩＥＥＥ８０２．１１ｇデバイス、またはＩＥＥＥ８０２．１１ｎデバイスを備え、ＷＷＡＮデバイスは、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える。
【００３７】
いくつかの実施形態では、ＷＷＡＮデバイスと関連付けられるＷＷＡＮ通信期間とＷＬＡＮデバイスと関連付けられるＷＬＡＮ通信期間とを決定する前記動作は、ＷＷＡＮデバイスと関連付けられるＷＷＡＮ通信期間とＷＬＡＮデバイスと関連付けられるＷＬＡＮ通信期間とを計算することと、ＷＷＡＮデバイスと関連付けられるＷＷＡＮ通信期間とＷＬＡＮデバイスと関連付けられるＷＬＡＮ通信期間とを示す共存信号をＷＬＡＮデバイスに提供することとを備える。
【００３８】
いくつかの実施形態では、ＷＷＡＮデバイスと関連付けられるＷＷＡＮ通信期間とＷＬＡＮデバイスと関連付けられるＷＬＡＮ通信期間とを決定する前記動作は、ＷＬＡＮデバイスから、ＷＷＡＮデバイスと関連付けられるＷＷＡＮ通信期間とＷＬＡＮデバイスと関連付けられるＷＬＡＮ通信期間とを示すものを受信することを備える。
【００３９】
添付の図面を参照することによって、本実施形態はより良く理解され、その多数の目的、特徴および利点が当業者に明らかになろう。
【図面の簡単な説明】
【００４０】
【図１】いくつかの実施形態による、並置されたＷＬＡＮデバイスおよびＬＴＥデバイスのための共存機構を示す例示的な概念図。
【図２】通信媒体の制御権のための時間分割スケジューリング共存機構を実装するように構成された、ＷＬＡＮデバイスの例示的な動作を示す流れ図。
【図３】通信媒体の制御権のための時間分割スケジューリング共存機構を実装するように構成された、ＬＴＥデバイスの例示的な動作を示す流れ図。
【図４】ＬＴＥ通信スケジュールに従って、ＷＬＡＮ通信をスケジューリングするための例示的な動作を示す例示的な流れ図。
【図５Ａ】ＬＴＥ通信スケジュールに従って、ＷＬＡＮ通信をスケジューリングすることを示す例示的なタイミング図。
【図５Ｂ】ＷＬＡＮクライアント局がリモートＷＬＡＮアクセスポイントにＷＬＡＮパケットを要求するのを示す、例示的なタイミング図。
【図６】ＬＴＥ通信スケジュールに従って、ＷＬＡＮ通信をスケジューリングしつつ、時間分割スケジューリング共存機構を実装するための例示的な動作を示す流れ図。
【図７】ＬＴＥ通信スケジュールに従って、ＷＬＡＮ通信をスケジューリングしつつ、時間分割スケジューリング共存機構を実装するための例示的な動作をやはり示す、図６の続きの図。
【図８】ＷＬＡＮ通信およびＬＴＥ通信の可能性のある期間を示す例示的なタイミング図。
【図９】ＷＬＡＮデバイスがアクセスポイントとして構成される時の、ＷＬＡＮデバイスと並置されたＬＴＥデバイスとの間の周波数分離を最大化するための、例示的な動作を示す流れ図。
【図１０】ＷＬＡＮデバイスがＷＬＡＮクライアント局として構成される時の、ＷＬＡＮデバイスと並置されたＬＴＥデバイスとの間の周波数分離を最大化するための、例示的な動作を示す流れ図。
【図１１】いくつかの実施形態による、並置されたワイヤレス通信デバイス間の共存機構を含む、電子システムのブロック図。
【発明を実施するための形態】
【００４１】
以下の説明は、本発明の主題の技法を具現化する、例示的なシステムと、方法と、技法と、命令シーケンスと、コンピュータプログラム製品とを含む。ただし、説明される実施形態は、これらの具体的な詳細なしに実施され得ることが理解される。たとえば、例は、並置されたＷＬＡＮデバイスおよびＬＴＥデバイスのための共存機構を指すが、実施形態はそのようには限定されない。他の実施形態では、本明細書で説明される共存機構は、たとえば、ＷｉＭＡＸ、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、３Ｇ、４Ｇなどの、他のＷＷＡＮ規格およびデバイスのために実装され得る。他の例では、説明を不明瞭にしないために、よく知られている命令インスタンス、プロトコル、構造、および技法は詳細には示されていない。
【００４２】
ワイヤレス無線デバイス（たとえば、ＬＴＥデバイスおよびＷＬＡＮデバイス）間の干渉は、ワイヤレス無線デバイスが共通のシステム上に配置された場合、および／または互いに近接して通信している時に、起こり得る。並置されたワイヤレス無線デバイスの間のそのような干渉は、性能の低下を引き起こし得る。既存の技法は通常、隣接する周波数バンドにおけるブロッカと不要な帯域外の信号とをフィルタリングするために、ワイヤレス無線デバイスのアンテナの近くで、鋭い周波数ロールオフを有する多数の高価なＲＦフィルタ（たとえば、ｂｕｌｋ  ａｃｏｕｓｔｉｃ  ｗａｖｅ（ＢＡＷ）デバイス、ｔｈｉｎ
ｆｉｌｍ  ｂｕｌｋ  ａｃｏｕｓｔｉｃ  ｒｅｓｏｎａｔｏｒ（ＦＢＡＲ）など）を利用する。しかし、ＲＦフィルタは、実用上のフィルタの限界によって、ブロッカと帯域外の信号とを完全には除去できないことがある。たとえば、ＬＴＥバンド４０（２．３ＧＨｚ〜２．４ＧＨｚの周波数バンドと関連付けられる）は、ＷＬＡＮの２．４ＧＨｚ周波数バンドと一致する。この例では、ＲＦフィルタ（たとえば、鋭い周波数ロールオフを有する）を加えることで、２．４ＧＨｚ  ＩＳＭバンドのかなりの部分がフィルタ除去され得るので、２．４ＧＨｚのＷＬＡＮ周波数バンドの一部を無効にし得る。さらに、これらの種類のＲＦフィルタは、ＷＬＡＮ通信に影響し得るＬＴＥ送信（またはＬＴＥ通信に影響し得るＷＬＡＮ送信）を拒絶するには、効果的ではないことがある。大量のＲＦフィルタを使用することで、ワイヤレス無線デバイスと関連付けられるコストも上昇し得る。さらに、いくつかの場合（たとえば、ワイヤレス無線デバイスが、−３０℃から＋８５℃のような広い温度範囲で動作する場合）には、ＲＦフィルタの帯域外信号を拒絶する能力が低下し得るので、追加の処理コンポーネント（たとえば、フィルタ、電力増幅器、低雑音増幅器など）がワイヤレス無線デバイスで利用されることがあり、これにより、実装のコストと複雑さがさらに増す。
【００４３】
いくつかの実施形態では、並置されたワイヤレス無線デバイスの擬似同時動作を可能にする、共存機構が実装され得る。並置されたワイヤレス無線デバイスは、パケットのコリジョンと干渉とを最小にするように、ある割り当てられた通信期間に通信をスケジューリングするように構成され得る。たとえば、共存機構は、並置されたＷＬＡＮデバイス（２．４ＧＨｚの周波数バンドで動作する）およびＬＴＥデバイス（２．４ＧＨｚの周波数バンドに非常に近い周波数バンドで動作する）が、最小の干渉で動作できるように、実装され得る。ワイヤレス無線デバイスは、共存インターフェースを介して共存信号を交換し、それぞれの送信活動と受信活動とを示し、ワイヤレス無線デバイスの各々が通信を許可される期間をスケジューリングし、ワイヤレス無線デバイス間の干渉を最小にするように、送信期間と受信期間とをスケジューリングすることができる。ワイヤレス無線デバイスはまた、送信を抑制して（かつ／または低出力状態へと切り替えて）、両方のワイヤレス無線デバイスが、ワイヤレス無線デバイス間の干渉を最小にしつつ、通信媒体を共有できるようにすることもできる。そのような共存機構は、ワイヤレス無線デバイス間の干渉を最小にするための高価なＲＦフィルタ（および追加の処理コンポーネント）の必要性をなくすことができ、（ワイヤレス無線デバイスが隣接する周波数バンドで動作する場合）ワイヤレス無線デバイスの同時動作を可能にすることができる。
【００４４】
図１は、いくつかの実施形態による、並置されたＷＬＡＮデバイスおよびＬＴＥデバイスのための共存機構を示す、例示的な概念図である。図１に示されるように、いくつかの実装形態では、ＬＴＥデバイス１０２（たとえば、「ＬＴＥユーザ装置（ＵＥ）と呼ばれ得る」）およびＷＬＡＮデバイス１１０は、共通の回路基板（または近接した別個の回路基板）上の別個の集積回路（たとえば、別個のＬＴＥチップおよびＷＬＡＮチップ）上で具現化され得る。他の実装形態では、ＬＴＥデバイス１０２およびＷＬＡＮデバイス１１０は、単一の集積回路（たとえば、ｓｙｓｔｅｍ  ｏｎ  ａ  ｃｈｉｐ（ＳｏＣ））上で具現化され得る。ＬＴＥデバイス１０２およびＷＬＡＮデバイス１１０は、ワイヤレス通信能力を有する様々な種類の電子デバイス（たとえば、携帯電話、ノートブックコンピュータ、タブレットコンピュータ、ゲームコンソール、パーソナルコンピュータなど）内に含まれ得る。たとえば、ＬＴＥデバイス１０２およびＷＬＡＮデバイス１１０は、ポータブルルータ内で並置され得る。ＬＴＥデバイス１０２は、ワイドエリアネットワーク（ＷＡＮ）モデムであってよく、ＷＬＡＮデバイス１１０は、別の電子デバイス（たとえば、パーソナルコンピュータ）へのローカルエリアネットワーク（ＬＡＮ）ブリッジであってよい。ＬＴＥデバイス１０２およびＷＬＡＮデバイス１１０は、ポータブルルータとパーソナルコンピュータとの間でのデータ転送を容易にするために、同時に動作することができる。
【００４５】
いくつかの実装形態では、ＬＴＥデバイス１０２は、ＬＴＥ共存ユニット１０４と、ＬＴＥ処理ユニット１０６と、ＬＴＥスケジュール情報１０８とを備える。ＬＴＥ共存ユニット１０４は、ＬＴＥ処理ユニット１０６と通信するように構成される。ＬＴＥ共存ユニット１０４はまた、ＬＴＥスケジュール情報１０８を生成することができる。いくつかの実装形態では、ＷＬＡＮデバイス１１０は、ＷＬＡＮ共存ユニット１１２と、ＷＬＡＮ処理ユニット１１４と、ＷＬＡＮスケジュール情報１１６とを備える。ＷＬＡＮ共存ユニット１１２は、ＷＬＡＮ処理ユニット１１４と通信することができる。ＷＬＡＮ共存ユニット１１２はまた、ＷＬＡＮスケジュール情報１１６を生成することができる。一実装形態では、ＷＬＡＮ処理ユニット１１４は、メディアアクセス制御（ＭＡＣ）ユニットであってよい。ＬＴＥデバイス１０２およびＷＬＡＮデバイス１１０は、インターフェース１２０を介して通信する。一実装形態では、インターフェース１２０は、ＬＴＥデバイス１０２とＷＬＡＮデバイス１１０を接続する線を備える、物理インターフェースであってよい。別の実装形態では、インターフェース１２０は、デジタル制御共存信号が交換される際に通り得る、双方向デジタルインターフェースであってよい。別の実装形態では、インターフェース１２０は、共存情報を備えるメッセージがＬＴＥデバイス１０２とＷＬＡＮデバイス１１０との間で交換される際に通る、双方向のメッセージベースの共存インターフェースであってよい。以下でさらに説明されるように、ＷＬＡＮ共存ユニット１１４およびＬＴＥ共存ユニット１０４は、インターフェース１２０を使って、通信の中断、動作周波数の情報、使用されているＬＴＥ技術の種類（たとえば、時分割複信（ＴＤＤ）または周波数分割複信（ＦＤＤ））、および他の関連する情報に関する情報を交換することができる。いくつかの実装形態では、通信の中断に関する情報は、正確な送信および受信のスケジュール、今後の送信および受信のスケジュール、送信および受信の周期、通信の優先順位などを備え得る。ステージＡ〜Ｄを参照して以下で説明されるように、ＷＬＡＮ共存ユニット１１２およびＬＴＥ共存ユニット１０４は、並置されたデバイスとの干渉を最小にするように、それぞれのデバイスの通信をスケジューリングすることができる。
【００４６】
ステージＡにおいて、ＬＴＥ共存ユニット１０４は、ＬＴＥスケジュール情報１０８をＷＬＡＮ共存ユニット１１２に送信する。ＬＴＥスケジュール情報１０８は、ＬＴＥパケット送信の開始時間、ＬＴＥパケット受信の開始時間、送信／受信の長さ、パケットの優先順位などのような、共存イベントのタイミング情報を示し得る。いくつかの実装形態では、正確なタイミング情報（たとえば、ＬＴＥパケット送信／受信の開始時間）が予測できない場合は、ＬＴＥ共存ユニット１０４は、その間にＬＴＥデバイス１０２が送信し（「ＬＴＥ送信期間」）受信する（「ＬＴＥ受信期間」）ようにプログラムされる各々の通信スロット内で、ＬＴＥ通信スロットの長さと期間とを示すことができる。たとえば、ＴＤＤ−ＬＴＥ通信プロトコルによれば、ＬＴＥ通信スロットは５ｍｓであってよく、各々の５ｍｓの通信スロットは、２ｍｓのＬＴＥ送信期間と３ｍｓのＬＴＥ受信期間とに分割され得る。
【００４７】
ステージＢにおいて、ＷＬＡＮ共存ユニット１１２は、ＷＬＡＮデバイス１１０のみが通信できる期間（「ＷＬＡＮ割当通信期間」）と、ＬＴＥデバイス１０２のみが通信できる期間（「ＬＴＥ割当通信期間」）とを決定する。一実装形態では、ＷＬＡＮ共存ユニット１１２は、ＷＬＡＮ割当通信期間とＬＴＥ割当通信期間とを、ＷＬＡＮビーコン間隔およびＬＴＥフレーム間隔の知識に基づいて決定することができる。他の実装形態では、ＬＴＥスケジュール情報１０８および／またはＷＬＡＮスケジュール情報１１６が利用可能である場合、ＷＬＡＮ共存ユニット１１２は、ＷＬＡＮ割当通信期間とＬＴＥ割当通信期間とを決定する時に、ＬＴＥスケジュール情報１０８および／またはＷＬＡＮスケジュール情報１１６を考慮することができる。ＷＬＡＮデバイス１１０は、ＬＴＥ割当通信期間の間は通信できず、同様に、ＬＴＥデバイス１０２は、ＷＬＡＮ割当通信期間の間は、ＬＴＥユーザデータを全く通信できない。これにより、ＬＴＥパケット送信がＷＬＡＮパケット受信と干渉しないことと、ＷＬＡＮパケット送信がＬＴＥパケット受信と干渉しないこととが確実にされ得る。ＷＬＡＮ共存ユニット１１２はまた、ＷＬＡＮ割当通信期間およびＬＴＥ割当通信期間を、ＬＴＥ共存ユニット１０４に知らせることができる。
【００４８】
ステージＣにおいて、ＬＴＥ共存ユニット１０４は、ＷＬＡＮ割当通信期間およびＬＴＥ割当通信期間に少なくとも一部基づいて、ＬＴＥ送信とＬＴＥ受信とを調整する。図３を参照して説明されるように、ＬＴＥ共存ユニット１０４は、ＬＴＥ処理ユニット１０６に、ＬＴＥ割当通信期間の間にのみ、ＬＴＥパケット（たとえばＬＴＥユーザデータ）を送信させＬＴＥパケットを受信させることができる。いくつかの実装形態では、以下で説明されるように、ＬＴＥ処理ユニット１０６は、ＬＴＥ割当通信期間にのみＬＴＥパケットを送信できるが、ＬＴＥ通信期間とＷＬＡＮ通信期間のいずれかの間に、ＬＴＥ基地局からＬＴＥパケット（たとえば、制御パケット、データパケットなど）を受信することができる。さらに、ＬＴＥ処理ユニット１０６は、受信されたＬＴＥパケット（たとえば、確認応答メッセージ）に対する応答を、（確認応答メッセージの）この送信がＬＴＥ通信期間に起きたかＷＬＡＮ通信期間に起きたかに関係なく、直ちに送信することができる。ＬＴＥ処理ユニット１０６は、ＷＬＡＮデバイス１１０の通信との干渉を最小にするために、受信されたＬＴＥパケットに対する応答を低出力で送信することができる。いくつかの実装形態では、ＬＴＥデバイス１０２は、ＷＬＡＮ割当通信期間の間に、低出力状態に切り替わることができる。他の実装形態では、図６〜図８を参照して説明されるように、ＬＴＥデバイス１０２は、ＷＬＡＮ割当通信期間の間に、ＬＴＥパケットを受信することができる（しかし送信することはできない）。
【００４９】
ステージＤにおいて、ＷＬＡＮ共存ユニット１１２は、ＷＬＡＮ割当通信期間およびＬＴＥ割当通信期間に少なくとも一部基づいて、ＬＴＥ送信およびＬＴＥ受信との重複を最小にするように、ＷＬＡＮ送信とＷＬＡＮ受信とを調整する。図２を参照して説明されるように、ＷＬＡＮ共存ユニット１１２は、ＷＬＡＮ処理ユニット１１４に、ＷＬＡＮ割当通信期間の間にのみ、ＷＬＡＮパケットを送信させＷＬＡＮパケットを受信させることができる。いくつかの実装形態では、ＷＬＡＮデバイス１１０がアクセスポイントとして構成される時、ＷＬＡＮデバイス１１０は、ＬＴＥ割当通信期間の間に、低出力状態に切り替わることができる。他の実装形態では、図４〜図５を参照して説明されるようにＷＬＡＮデバイス１１０がＷＬＡＮクライアント局として構成される時、ＷＬＡＮ処理ユニット１１４は、ＷＬＡＮ送信がＬＴＥ送信期間と一致しＷＬＡＮ受信がＬＴＥ受信期間と一致するように、自身の通信をスケジューリングすることができる。他の実装形態では、図６〜図８を参照して説明されるように、ＷＬＡＮ処理ユニット１１４は、ＬＴＥ割当通信期間の間に、ＷＬＡＮパケットを受信することができる（しかし送信することはできない）。
【００５０】
図２は、通信媒体の制御権のための時間分割スケジューリング共存機構を実装するように構成された、ＷＬＡＮデバイスの例示的な動作を示す流れ図（「フロー」）２００である。フロー２００は、ブロック２０２において開始する。
【００５１】
ブロック２０２において、アクセスポイントとして構成されるＷＬＡＮデバイスが、並置されたＬＴＥデバイスを検出する。一実装形態では、ＷＬＡＮデバイスは、アクセスポイントとして構成される、ポータブルルータまたは携帯電話であってよい。図１を参照すると、ＬＴＥデバイス１０２は、ＷＬＡＮデバイス１１０とともに並置されていてよく、ＷＬＡＮ共存ユニット１１２は、並置されたＬＴＥデバイス１０２を検出することができる。一実装形態では、ＬＴＥ共存ユニット１０４は、共存信号を送信して、並置されたＬＴＥデバイス１０２の存在をＷＬＡＮ共存ユニット１１２に知らせることができる。別の実装形態では、ＷＬＡＮ共存ユニット１１２は、所定のメモリ位置にアクセスして、ＷＬＡＮデバイス１１０とともに並置された他の通信デバイスがあるかどうかを判定することができる。いくつかの実装形態では、ＷＬＡＮ共存ユニット１１２はまた、ＬＴＥスケジュール情報１０８をＬＴＥ共存ユニット１０４から受信することができる。たとえば、ＷＬＡＮ共存ユニット１１２は、並置されたＬＴＥデバイス１０２が、ＬＴＥパケット、送信／受信されるようにスケジューリングされたＬＴＥパケットの優先順位、および／またはスケジューリングに関連する他の情報を、いつ送信／受信するようにスケジューリングされるかを示すもの（すなわち時刻）を、受信することができる。フローはブロック２０４に続く。
【００５２】
ブロック２０４において、ＷＬＡＮ割当通信期間およびＬＴＥ割当通信期間が、ＷＬＡＮデバイスで決定される。たとえば、ＷＬＡＮ共存ユニット１１２は、ＷＬＡＮ割当通信期間とＬＴＥ割当通信期間とを決定することができる。いくつかの実装形態では、ＷＬＡＮ共存ユニット１１２は、ＷＬＡＮ割当通信期間とＬＴＥ割当通信期間とを、ＬＴＥスケジュール情報１０８に少なくとも一部基づいて決定することができる。ＬＴＥ割当通信期間とＷＬＡＮ割当通信期間とを決定する時、ＷＬＡＮ共存ユニット１１２はまた、ＷＬＡＮビーコン間隔、ＬＴＥデバイス１０２の接続されているＬＴＥ基地局（ＬＴＥでは「ｅｖｏｌｖｅｄ  ＮｏｄｅＢ」または「ｅＮｏｄｅＢ」と呼ばれ得る）のフレーム構造（またはフレーム間隔）、ＬＴＥパケットが最送信される前にＬＴＥデバイス１０２がＬＴＥ基地局への応答（たとえば確認応答メッセージなど）を送信するのを遅らせることができる最大の期間、および／または他の関連する情報を、考慮することができる。ＬＴＥ共存ユニット１０４は、ＬＴＥスケジュール情報１０８、ＬＴＥフレーム間隔、ＬＴＥ送信／受信期間、および／または他のＬＴＥ関連の情報を、インターフェース１２０を介して送信される１つまたは複数の共存メッセージにおいて、ＷＬＡＮ共存ユニット１１２に提供することができる。別の実装形態では、ＷＬＡＮ割当通信期間およびＬＴＥ割当通信期間は、デフォルトの値へと事前に定義され得る。別の実装形態では、ＷＬＡＮ割当通信期間およびＬＴＥ割当通信期間は、動的に設定可能であり得る。いくつかの実装形態では、ＷＬＡＮ共存ユニット１１２は、ＷＬＡＮ割当通信期間とＬＴＥ割当通信期間とに、等しい長さの時間を割り当てることができる。たとえば、ＷＬＡＮ共存ユニット１１２は、ＷＬＡＮ割当通信期間とＬＴＥ割当通信期間が各々２０ｍｓでなければならないと、決定することができる。他の実装形態では、ＷＬＡＮ共存ユニット１１２は、（たとえば、ＬＴＥスケジュール情報１０８、ＷＬＡＮビーコン間隔、ＬＴＥフレーム間隔などに応じて）ＷＬＡＮ割当通信期間およびＬＴＥ割当通信期間に対して、異なる長さの時間を割り当てることができる。たとえば、ＷＬＡＮ共存ユニット１１２は、ＷＬＡＮ割当通信期間が２０ｍｓでなければならず、ＬＴＥ割当通信期間が３０ｍｓでなければならないと、決定することができる。以下で説明されるように、ＷＬＡＮデバイス１１０は、自身の通信（たとえば、ＷＬＡＮパケット送信およびＷＬＡＮパケット受信）を、ＷＬＡＮ割当通信期間内となるように調整することができる。たとえば、ＷＬＡＮ割当通信期間およびＬＴＥ割当通信期間は、最初の２０ｍｓがＷＬＡＮデバイス１１０に割り当てられ、次の２０ｍｓがＬＴＥ１０２に割り当てられ、その次の２０ｍｓがＷＬＡＮデバイス１１０に割り当てられ、以下同様となるように、割り当てられ得る。言い換えると、ＷＬＡＮ割当通信期間およびＬＴＥ割当通信期間は、連続的であり、周期的に繰り返す期間であってよい。ＷＬＡＮ処理ユニット１１４は次いで、ＷＬＡＮデバイス１１０が、割り当てられた２０ｍｓの間に通信し、ＬＴＥデバイス１０２に割り当てられた２０ｍｓの期間において低出力状態に入ることを���確実にすることができる。フローはブロック２０６に続く。
【００５３】
ブロック２０６において、ＷＬＡＮ割当通信期間およびＬＴＥ割当通信期間の通知が、並置されたＬＴＥデバイスに提供される。一実装形態では、ＷＬＡＮ共存ユニット１１２は、ＷＬＡＮ割当通信期間とＬＴＥ割当通信期間とを示す共存メッセージを、インターフェース１２０を介してＬＴＥ共存ユニット１０４に提供することができる。たとえば、ＷＬＡＮ共存ユニット１１２は、ＷＬＡＮ割当通信期間とＬＴＥ割当通信期間が２０ｍｓの長さであることを、示すことができる。ＷＬＡＮ共存ユニット１１２はまた、ＬＴＥ割当通信期間が開始するようにスケジューリングされる時刻、または、ＬＴＥ割当通信期間が開始するまでの期間を、示すことができる。たとえば、ＷＬＡＮ共存ユニット１１２は、２０ｍｓのＬＴＥ割当通信期間が１０ｍｓの後に開始することを示し得る。図３を参照して説明されるように、ＬＴＥデバイス１０２は、自身の通信（たとえば、ＬＴＥパケット送信）を、ＬＴＥ割当通信期間内となるように調整することができる。フローはブロック２０８に続く。
【００５４】
ブロック２０８において、ＷＬＡＮ割当通信期間が現在進行中であるかどうかが、判定される。たとえば、ＷＬＡＮ共存ユニット１１２は、ＷＬＡＮ割当通信期間が現在進行中であるかどうかを判定することができる。一実装形態では、ＷＬＡＮ共存ユニット１１２は、ＷＬＡＮ共存タイマーを実装して、ＷＬＡＮ割当通信期間が現在進行中であるかどうかを判定することができる。ＷＬＡＮ共存ユニット１１２および／またはＷＬＡＮデバイス１１０の他の処理コンポーネントは、ＷＬＡＮ割当通信期間が開始しまたは終わる時に、（ＷＬＡＮ共存タイマーに基づいて）トリガを検出することができる。上で説明されたように、ＷＬＡＮ処理ユニット１１４は、ＷＬＡＮ割当通信期間の間にのみ、ＷＬＡＮパケットを送信または受信することを許可され得る。いくつかの実装形態では、ＷＬＡＮ共存ユニット１１２は、ＷＬＡＮ割当通信期間が現在進行中かどうかを判定することができ、ＷＬＡＮ割当通信期間がいつ開始し終了したかを、ＷＬＡＮ処理ユニット１１４に知らせることができる。別の実装形態では、ＷＬＡＮ処理ユニット１１４は、ＷＬＡＮ割当通信期間がいつ開始し終了したかを、自身で追跡してもよい。ＷＬＡＮ割当通信期間が現在進行中であると判定されると、フローはブロック２１０に続く。そうでなければ、フローはブロック２１６に続く。
【００５５】
ブロック２１０において、ＷＬＡＮパケットが、ＷＬＡＮデバイスに接続された１つまたは複数のＷＬＡＮ局と交換される。ＷＬＡＮ共存ユニット１１２が、ＷＬＡＮ割当通信期間が現在進行中であると判定すると、フロー２００はブロック２０８からブロック２１０に移る。ＷＬＡＮ割当通信期間において、ＷＬＡＮ処理ユニット１１４は、（たとえば、ＷＬＡＮデバイス１１０がＷＬＡＮアクセスポイントとして構成される場合）ＷＬＡＮデバイス１１０に接続された１つまたは複数のＷＬＡＮ局から、ＷＬＡＮパケットを受信することができる。ＷＬＡＮ処理ユニット１１４は、接続されたＷＬＡＮ局にポーリングして、接続されたＷＬＡＮ局にそれぞれのＷＬＡＮパケットを（もしあれば）送信させることができる。ＷＬＡＮ処理ユニット１１４はまた、接続されたＷＬＡＮ局に宛てられたＷＬＡＮパケットを送信することができ、制御メッセージ（たとえば、ビーコンメッセージ、プローブ応答メッセージなど）を送信することもできる。一実装形態では、ＷＬＡＮ処理ユニット１１４は、（たとえば、ＷＬＡＮスケジュール情報１１６に基づいて、データ送信キューの中のデータに基づいて、など）、ＷＬＡＮ割当通信期間が終わる前、またはＷＬＡＮデバイス１０２がＷＬＡＮパケットを受信するようにスケジューリングされる前に送信され得る、ＷＬＡＮパケットの数を決定することができる。フロー２００は、ブロック２１２に続く。
【００５６】
ブロック２１２において、制御権をＬＴＥデバイスへとハンドオフして、ＬＴＥ割当通信期間を開始するかどうかが、判定される。たとえば、ＷＬＡＮ共存ユニット１１２は、制御権をＬＴＥデバイス１０２へとハンドオフして、ＬＴＥ割当通信期間を開始するかどうかを、判定することができる。一実装形態では、ＷＬＡＮ共存ユニット１１２は、ＷＬＡＮ共存タイマーにアクセスして、制御権をＬＴＥデバイス１０２へとハンドオフしてＬＴＥ割当通信期間を開始するかどうかを、判定することができる。別の実装形態では、ＷＬＡＮ共存タイマーは、ＷＬＡＮ割当通信期間がちょうど終わる前に、ＷＬＡＮ共存ユニット１１２に知らせることができる。たとえば、ＷＬＡＮデバイス１１０が、低出力状態へ切り替えるための制御メッセージを（たとえば、ＷＬＡＮアクセスポイント、接続されたＷＬＡＮ局などのような１つまたは複数のＷＬＡＮデバイスへ）送信するには、１ｍｓ必要であるという知識に基づいて、ＷＬＡＮ共存タイマーは、ＷＬＡＮ割当通信期間が終わる１ｍｓ前に、制御権をハンドオフしてＷＬＡＮ通信を中断するように（たとえばＷＬＡＮ共存ユニット１１２に）指示することができる。制御権をＬＴＥデバイス１０２へとハンドオフしてＬＴＥ割当通信期間を開始することが決定されると、フローはブロック２１４に続く。そうでなければ、ＷＬＡＮデバイス１１０は、通信媒体の制御権を保持し、フローはブロック２１０へと戻り、そこでＷＬＡＮデバイス１１０は、ＷＬＡＮデバイス１１０に接続されたＷＬＡＮ局との通信を続けることができる。
【００５７】
ブロック２１４において、ＷＬＡＮデバイスと関連付けられるＷＬＡＮ通信を防ぐために、制御メッセージが他のＷＬＡＮデバイスにブロードキャストされる。たとえば、ＷＬＡＮ処理ユニット１１４は、ＷＬＡＮ通信を防ぐために、ＣＴＳ２ＳＥＬＦ制御メッセージを他のＷＬＡＮデバイスにブロードキャストすることができる。ＣＴＳ２ＳＥＬＦメッセージの一部として、ＷＬＡＮ処理ユニット１１４はまた、他のＷＬＡＮデバイスがＷＬＡＮ通信を開始すべきではない期間（たとえば、ＬＴＥ割当通信期間）を示すことができる。たとえば、ＷＬＡＮ処理ユニット１１４は、ＣＴＳ２ＳＥＬＦメッセージにおいてネットワーク割当ベクトル（ＮＡＶ）パラメータを設定して、ＷＬＡＮ通信が開始されるべきではない期間を示すことができる。ＣＴＳ２ＳＥＬＦメッセージをＷＬＡＮデバイス１１０から受信するＷＬＡＮデバイスは、ＷＬＡＮ通信を開始しない。このことで、ＷＬＡＮ通信から通信媒体を解放することができるので、ＬＴＥ割当通信期間におけるＬＴＥ通信とＷＬＡＮ通信との干渉が防がれる。いくつかの実装形態では、制御権をＬＴＥデバイス１０２にハンドオフすることが決定されると、ＷＬＡＮ処理ユニット１１４は、共存メッセージをＬＴＥデバイス１０２へ（インターフェース１２０を介して）送信し、ＬＴＥ割当通信期間の開始を示すことができることに、留意されたい。フローは、ブロック２１６に続く。
【００５８】
ブロック２１６において、ＷＬＡＮデバイスは、低出力状態に切り替わる。たとえば、ＷＬＡＮ共存ユニット１１２は、ＷＬＡＮ処理ユニット１１４およびＷＬＡＮデバイス１１０の他の処理コンポーネントに、低出力状態（たとえば、低出力状態、アイドル状態など）へと切り替えさせることができる。ＷＬＡＮ割当通信期間が現在進行中ではない（すなわち、ＬＴＥ割当通信期間が進行中である）と判定されると、フロー２００はブロック２０８からブロック２１６へと移る。ＷＬＡＮデバイス１１０が、ＬＴＥ割当通信期間におけるＷＬＡＮ通信を防ぐために制御メッセージをブロードキャストした後で、フロー２００はブロック２１４からブロック２１６に移る。たとえば、ブロック２１４において送信されたＣＴＳ２ＳＥＬＦメッセージによって、ＷＬＡＮデバイス１１０は、ＷＬＡＮ割当通信期間が進行中ではない時（すなわち、ＬＴＥ割当通信期間において）ＷＬＡＮパケットを送信せず、またはＷＬＡＮパケットを受信しない。ブロック２１６から、フローはブロック２０８へと戻り、そこで、ＷＬＡＮ共存ユニット１１２は、ＷＬＡＮ割当通信期間が始まったかどうか（すなわち、アクティブな出力状態にいつ切り替わるか）を判定する。ＷＬＡＮ割当通信期間が始まると判定されると（たとえば、ＷＬＡＮ共存タイマーに基づいて）、ＷＬＡＮ共存ユニット１１２は、制御メッセージを送信して、ＷＬＡＮデバイス１１０の処理コンポーネントに、アクティブな出力状態（たとえば、アウェイクモード、高出力状態など）へと切り替えさせることができることに留意されたい。
【００５９】
図２は、ＷＬＡＮデバイス１１０が低出力状態へと切り替わり、ＬＴＥ割当通信期間においてＷＬＡＮ通信を開始しないことを説明するが、実施形態はそのようには限定されない。いくつかの実装形態では、ＷＬＡＮデバイス１１０は、ＷＬＡＮ割当通信期間が開始するまで遅延させることができないメッセージ（「緊急のＷＬＡＮメッセージ」）を送信するのを、許可され得る。ＬＴＥ割当通信期間において、ＷＬＡＮデバイス１１０は、共存メッセージをインターフェース１２０を介して送信することによって、ＬＴＥデバイス１０２に対して、緊急のＷＬＡＮメッセージ（たとえば、ＷＬＡＮビーコンメッセージ、高優先度のメッセージ、緊急の確認応答メッセージなど）の送信の許可を要求することができる。
【００６０】
図３は、通信媒体の制御権のための時間分割スケジューリング共存機構を実装するように構成された、ＬＴＥデバイスの例示的な動作を示す流れ図３００である。フロー３００は、ブロック３０２において開始する。
【００６１】
ブロック３０２において、ＬＴＥ割当通信期間およびＷＬＡＮ割当通信期間が、ＷＬＡＮデバイスとともに並置されたＬＴＥデバイスで決定される。一実装形態では、図１を参照して説明されたように、ＬＴＥ共存ユニット１０４は、ＬＴＥ割当通信期間とＷＬＡＮ割当通信期間とを示すものを、ＷＬＡＮ共存ユニット１１２から受信することができる。上で説明されたように、ＬＴＥ割当通信期間およびＷＬＡＮ割当通信期間は、連続的に交互に現れる期間であってよい。ＬＴＥデバイス１０２およびＷＬＡＮデバイス１１０は、それぞれ、ＬＴＥ割当通信期間およびＷＬＡＮ割当通信期間に通信することができる。フローはブロック３０４に続く。
【００６２】
ブロック３０４において、ＬＴＥ割当通信期間が現在進行中であるかどうかが、判定される。たとえば、ＬＴＥ共存ユニット１０４は、ＬＴＥ割当通信期間が現在進行中であるかどうかを判定することができる。ＬＴＥ共存ユニット１０４は、ＬＴＥ共存タイマーを実装して、ＬＴＥ割当通信期間が現在進行中であるかどうかを判定することができる。ＬＴＥ共存ユニット１０４および／またはＬＴＥデバイス１０２の他の処理コンポーネントは、ＬＴＥ割当通信期間が開始しまたは終わる時に、（ＬＴＥ共存タイマーに基づいて）トリガを検出することができる。上で説明されたように、ＬＴＥ処理ユニット１０６は、ＬＴＥ割当通信期間の間にのみ、ＬＴＥパケットを送信または受信することを許可され得る。ＬＴＥ割当通信期間が現在進行中であると判定されると、フローはブロック３０６に続く。そうでなければ、フローはブロック３１２に続く。
【００６３】
ブロック３０６において、ＬＴＥデバイスの接続されているＬＴＥ基地局と、ＬＴＥパケットが交換される。ＬＴＥ共存ユニット１０４が、ＬＴＥ割当通信期間が現在進行中であると判定すると、フロー３００はブロック３０４からブロック３０６に移る。ＬＴＥ割当通信期間において、ＬＴＥ処理ユニット１０６は、ＬＴＥ基地局（ｅＮｏｄｅＢとしても知られる）からＬＴＥパケットを受信することができる。ＬＴＥ処理ユニット１０６はまた、ＬＴＥパケットをＬＴＥ基地局に送信することができる。一実装形態では、ＬＴＥ処理ユニット１０６は、ＬＴＥ割当通信期間に送信／受信され得る、ＬＴＥパケットの数を（たとえば、ＬＴＥスケジュール情報１０８に基づいて）決定することができる。フローはブロック３０８に続く。
【００６４】
ブロック３０８において、制御権をＷＬＡＮデバイスへとハンドオフして、ＷＬＡＮ割当通信期間を開始するかどうかが、判定される。たとえば、ＬＴＥ共存ユニット１０４は、制御権をＷＬＡＮデバイス１１０へとハンドオフして、ＷＬＡＮ割当通信期間を開始するかどうかを、判定することができる。一実装形態では、ＬＴＥ共存ユニット１０４は、ＬＴＥ共存タイマーにアクセスして、制御権をＷＬＡＮデバイス１１０へとハンドオフしてＷＬＡＮ割当通信期間を開始するかどうかを、判定することができる。別の実装形態では、ＬＴＥ共存タイマーは、ＬＴＥ割当通信期間が終わるちょうど前に、ＬＴＥ共存ユニット１０４に通知して、（以下で説明されるように）ＬＴＥデバイス１０２が、ＷＬＡＮ割当通信期間中の後続のＬＴＥ通信を防ぐことを可能にし得る。制御権をＷＬＡＮデバイス１１０へとハンドオフしてＷＬＡＮ割当通信期間を開始することが決定されると、フローはブロック３１０に続く。そうでなければ、ＬＴＥデバイス１０２は制御権を保持し、フローはブロック３０６へと戻り、そこでＬＴＥデバイス１０２は、ＬＴＥ基地局との通信を続けることができる。
【００６５】
ブロック３１０において、ＬＴＥユーザデータがＬＴＥデバイスにないことが、ＬＴＥ基地局に示される。ＬＴＥ共存ユニット１０４が、制御権をＷＬＡＮデバイス１１０へハンドオフしてＷＬＡＮ割当通信期間を開始すると決定すると、フロー３００はブロック３０８からブロック３１０に移る。ＷＬＡＮ割当通信期間の開始を準備する際、ＬＴＥ処理ユニット１０６は、ＬＴＥデバイス１０２からＬＴＥ基地局へのＬＴＥパケットの送信を防ぐことができ、ＬＴＥデバイス１０２からのＬＴＥパケットを要求するＬＴＥメッセージをＬＴＥ基地局が送信しないことを確実にすることができる。ＬＴＥ処理ユニット１０６は、制御メッセージをＬＴＥ基地局に送信して、送信すべきＬＴＥユーザデータをＬＴＥデバイス１０２が有さないことを示すことができる。いくつかの実装形態では、制御権をＷＬＡＮデバイス１１０にハンドオフすることが決定されると、ＬＴＥ処理ユニット１０６は、共存メッセージをＷＬＡＮデバイス１１０へ（インターフェース１２０を介して）送信し、ＷＬＡＮ割当通信期間の開始を示すことができることに、留意されたい。フローはブロック３１２に続く。
【００６６】
ブロック３１２において、ＬＴＥデバイスは、低出力状態に切り替わる。たとえば、ＬＴＥ共存ユニット１０４は、ＬＴＥ処理ユニット１０６およびＬＴＥデバイス１０２の他の処理コンポーネントに、（たとえば、制御信号を送信することによって）低出力状態へと切り替えさせることができる。ＬＴＥ割当通信期間が現在進行中ではないと判定されると、フロー３００はブロック３０４からブロック３１２に移る。ＬＴＥ割当通信期間が終わりＷＬＡＮ割当通信期間が開始すると判定されると、フロー３００はブロック３１０からブロック３１２へと移る。ＬＴＥデバイス１０２は、ＬＴＥ割当通信期間が進行中ではない（すなわち、ＷＬＡＮ割当通信期間中である）時、ＬＴＥパケットを送信しまたはＬＴＥパケットを受信することができない。ブロック３１２から、フローはブロック３０４へと戻り、そこで、ＬＴＥ共存ユニット１０４は、ＬＴＥ割当通信期間が始まったかどうか（すなわち、アクティブな出力状態にいつ切り替えるか）を判定する。いくつかの実装形態では、ＬＴＥ割当通信期間が始まると判定されると（たとえば、ＬＴＥ共存タイマーに基づいて）、ＬＴＥ共存ユニット１０４は、ＬＴＥデバイス１０２の処理コンポーネントに、（たとえば、制御信号を送信することによって）アクティブな出力状態へと切り替えさせることができる。しかし、他の実装形態では、ＬＴＥデバイス１０２は、低出力状態に切り替えないように構成されてよく、代わりに、ＷＬＡＮ割当通信期間の間アクティブな出力状態にとどまることができることに留意されたい。
【００６７】
図３は、ＬＴＥデバイス１０２が低出力状態へと切り替わり、ＷＬＡＮ割当通信期間においてＬＴＥ通信を開始しないことを説明するが、実施形態はそのようには限定されない。いくつかの実装形態では、ＬＴＥデバイス１０２は、ＬＴＥデバイス割当通信期間が開始するまで遅延させることができないメッセージ（「緊急のＬＴＥメッセージ」）を送信するのを、許可され得る。ＷＬＡＮ割当通信期間において、ＬＴＥデバイス１０２は、共存メッセージをインターフェース１２０を介して送信することによって、ＷＬＡＮデバイス１１０に対して、緊急のＬＴＥメッセージ（たとえば、高優先度のメッセージ、緊急の確認応答メッセージなど）の送信の許可を要求することができる。
【００６８】
また、図３は、ＬＴＥデバイス１０２が低出力状態へと切り替わり、ＷＬＡＮ割当通信期間においてすべてのＬＴＥ通信を防ぐことを説明するが、実施形態はそのようには限定されない。いくつかの実装形態では、ＬＴＥデバイス１０２が（たとえば、２．４ＧＨｚ
ＩＳＭバンドに非常に近いＬＴＥバンド７を使用して）周波数分割複信（ＦＤＤ）モードで動作する場合、ＬＴＥデバイス１０２は、ＷＬＡＮ割当通信期間の間、ＬＴＥ基地局からＬＴＥパケットの受信を続けることができ、ＷＬＡＮ割当通信期間の間は、ＬＴＥパケット送信を防ぐのみであってよい。ＬＴＥデバイス１０２がＦＤＤモードで動作する場合、ＬＴＥパケットの受信はＷＬＡＮ通信とは干渉しないことがある。それは、ＬＴＥパケット受信周波数バンドと２．４ＧＨｚ  ＩＳＭバンドとの間に十分な周波数分離があり、干渉の拒絶を可能にし得るからである。しかし、ＬＴＥデバイス１０２が時分割複信（ＴＤＤ）モードで動作する場合、ＬＴＥデバイス１０２は、ＷＬＡＮ割当通信期間の間、ＬＴＥパケットの送信とＬＴＥパケットの受信とを防ぐことができる。
【００６９】
いくつかの実装形態では、ＬＴＥデバイス１０２が、ＷＬＡＮ割当通信期間の間にＬＴＥ基地局からＬＴＥパケットを受信すると、ＬＴＥデバイス１０２は、確認応答メッセージをＬＴＥ基地局に送信するために、ＬＴＥ割当通信期間まで待機することができる。しかし、別の実装形態では、ＬＴＥデバイス１０２は、（上で説明されたような）インターフェース１２０を介した緊急のＬＴＥ確認応答メッセージの送信の許可を、ＷＬＡＮデバイス１１０に対して要求することができる。さらに別の実装形態では、ＬＴＥデバイス１０２は、帯域内制御メッセージとして、確認応答メッセージを非常に低出力で送信することができる。別の実装形態では、ＷＬＡＮ割当通信期間にＬＴＥ基地局からＬＴＥパケットを受信すると、ＬＴＥデバイス１０２は、（遅延を伴わずに）確認応答メッセージを、非常に低出力で、ＬＴＥ制御チャネルを介してＬＴＥ基地局に送信することができる。このことは、ＬＴＥデバイスが確認応答メッセージを送信する時、ＬＴＥデバイス１０２とＷＬＡＮデバイス１１０との間の干渉を最小にすることの助けとなり得る。
【００７０】
さらに、図２および図３は、ＷＬＡＮ共存ユニット１１２が、ＷＬＡＮ割当通信期間とＬＴＥ割当通信期間とを決定し、ＷＬＡＮ割当通信期間とＬＴＥ割当通信期間とをＬＴＥデバイス１０２に知らせることを説明するが、実施形態はそのようには限定されないことに留意されたい。いくつかの実装形態では、ＬＴＥ共存ユニット１０４は、並置されたＷＬＡＮデバイス１１０の存在を示す共存メッセージを、（たとえば、ＷＬＡＮ共存ユニット１１２から）受信することができる。別の実装形態では、ＬＴＥ共存ユニット１０４は、所定のメモリ位置にアクセスして、ＷＬＡＮデバイス１１０がＬＴＥデバイス１０２と並置されているかどうかを判定することができる。ＬＴＥ共存ユニット１０４は、ＬＴＥ割当通信期間とＷＬＡＮ割当通信期間とを決定するように構成され得る。いくつかの実装形態では、ＷＬＡＮ共存ユニット１１２は、ＷＬＡＮスケジュール情報１１６をＬＴＥ共存ユニット１０４に伝えることができる。ＬＴＥ共存ユニット１０４は次いで、ＷＬＡＮスケジュール情報１１６および／またはＬＴＥスケジュール情報１０８に基づいて、ＬＴＥ割当通信期間とＷＬＡＮ割当通信期間とを決定することができる。図２を参照して上で説明されたのと同様に、いくつかの実装形態では、ＬＴＥ共存ユニット１０４はまた、ＬＴＥ割当通信期間とＷＬＡＮ割当通信期間とを決定する時に、ＷＬＡＮビーコン間隔とＬＴＥフレーム間隔とを考慮することができる。ＬＴＥ共存ユニット１０４は次いで、ＬＴＥ割当通信期間とＷＬＡＮ割当通信期間とを、ＷＬＡＮ共存ユニット１１２に知らせることができる。別の実装形態では、ＬＴＥ共存ユニット１０４およびＷＬＡＮ共存ユニット１１２は、共存インターフェース１２０を介して１つまたは複数の共存メッセージを交換して、ＷＬＡＮ割当通信期間とＬＴＥ割当通信期間とを取り決めるように構成され得る。
【００７１】
図４は、ＬＴＥ通信スケジュールに従って、ＷＬＡＮ通信をスケジューリングするための例示的な動作を示す例示的な流れ図４００である。フロー４００は、ブロック４０２において開始する。
【００７２】
ブロック４０２において、ＬＴＥデバイスに関連付けられるＬＴＥ送信期間とＬＴＥ受信期間とを示すものが、並置されたＬＴＥデバイスからＷＬＡＮデバイスで受信される。図１を参照すると、いくつかの実装形態では、ＷＬＡＮ共存ユニット１１２は、ＬＴＥ送信期間とＬＴＥ受信期間とを示すものを、ＬＴＥ共存ユニット１０４から受信することができる。通常、ＬＴＥデバイス１０２は、複数の通信スロットに属すことができ、各通信スロットは、ＬＴＥデバイス１０２が送信できる期間（本明細書では「ＬＴＥ送信期間」と呼ばれる）と、ＬＴＥデバイス１０２が受信できる期間（本明細書では、「ＬＴＥ受信期間」と呼ばれる）とに分割され得る。図５Ａは、ＬＴＥ通信スケジュールに従って、ＷＬＡＮ通信をスケジューリングすることを示す例示的なタイミング図である。図５Ａは、交互に現れるＬＴＥ送信期間５０２Ａ〜５０２ＤとＬＴＥ受信期間５０４Ａ〜５０４Ｄとを示す。一実装形態では、通信スロットは５ｍｓであってよく、ＬＴＥ送信期間は２ｍｓであってよく、ＬＴＥ受信期間は３ｍｓであってよい。図４に戻って参照すると、一実装形態では、ＷＬＡＮデバイス１１０は、クライアントＷＬＡＮデバイスとして構成されてよく、ＷＬＡＮアクセスポイントに接続することができる。以下で説明されるように、ＷＬＡＮ処理ユニット１１４は、ＬＴＥ送信期間の間にＷＬＡＮ送信をスケジューリングすることができ、ＬＴＥ受信期間の間にＷＬＡＮ受信をスケジューリングして、ＬＴＥ送信およびＬＴＥ受信との干渉を最小にすることができる。フローはブロック４０４に続く。
【００７３】
ブロック４０４において、ＬＴＥ送信期間が現在進行中であるかどうかが、判定される。たとえば、ＷＬＡＮ共存ユニット１１２は、ＬＴＥ送信期間が現在進行中であるかどうかを判定することができる。干渉を最小にするために、ＷＬＡＮ共存ユニット１１２は、ＷＬＡＮ送信をＬＴＥ送信期間と揃えようとすることができる。言い換えると、図５Ａを参照すると、ＷＬＡＮ処理ユニット１１４は、ＬＴＥ送信期間５０２Ａ〜５０２Ｄの間にのみ、ＷＬＡＮパケットを送信することができる。ＬＴＥ送信期間が進行中ではないと判定されると、ＷＬＡＮ共存ユニット１１２は、ＬＴＥ受信期間が進行中であると、自動的に判定することができる（ＬＴＥ送信期間とＬＴＥ受信期間は連続的であり交互に現れる期間なので）。いくつかの実装形態（図４に示されるような）では、ＬＴＥ送信期間が進行中ではないと判定されると、ＷＬＡＮデバイス１１０は、ＷＬＡＮパケットとＷＬＡＮパケットを求める（ＷＬＡＮアクセスポイントへの）要求とを送信するために、次のＬＴＥ送信期間の開始まで待機することができる。他の実装形態では、ＬＴＥ送信期間が進行中ではないと判定されると、ＷＬＡＮデバイス１１０は、（たとえば、ＷＬＡＮパケットに対する前に送信された要求に応答するなどして）１つまたは複数のＷＬＡＮパケットをＷＬＡＮアクセスポイントから受信することができる。図４を参照すると、ＬＴＥ送信期間が現在進行中であると判定されると、フローはブロック４０６に続く。そうでなければ、フローはブロック４１０に戻る。
【００７４】
ブロック４０６において、ＷＬＡＮパケットが、ＷＬＡＮアクセスポイントへの送信に利用可能かどうかが、判定される。たとえば、ＷＬＡＮ処理ユニット１１４は、ＷＬＡＮパケットがＷＬＡＮアクセスポイントへ送信されるようにスケジューリングされているかどうかを、判定することができる。一実装形態では、ＷＬＡＮ処理ユニット１１４は、ＷＬＡＮスケジュール情報１１６にアクセスして、ＷＬＡＮアクセスポイントに送信されるべきＷＬＡＮパケットがあるかどうかを、判定することができる。別の実装形態では、ＷＬＡＮ処理ユニット１１４は、データ送信キューにアクセスして、ＷＬＡＮアクセスポイントに送信されるべきデータがあるかどうかを、判定することができる。ＷＬＡＮパケットがＷＬＡＮアクセスポイントへの送信に利用可能であるとＷＬＡＮ処理ユニット１１４が判定すると、フローはブロック４０８に続く。そうでなければ、フローはブロック４１０に続く。
【００７５】
ブロック４０８において、１つまたは複数のＷＬＡＮパケットが、ＷＬＡＮデバイスの接続されているＷＬＡＮアクセスポイントに、送信される。ＬＴＥ送信期間が現在進行中であるとＷＬＡＮ共存ユニット１１２が判定し、かつ、１つまたは複数のＷＬＡＮパケットが送信に利用可能であるとＷＬＡＮ処理ユニット１１４が判定すると、フロー４００はブロック４０６からブロック４０８に移る。図５Ａを参照すると、ＷＬＡＮ処理ユニット１１４は、期間５０２Ａ、５０２Ｂ、５０２Ｃ、および５０２Ｄの間に、ＷＬＡＮパケットを送信することができる。一実装形態では、ＷＬＡＮ処理ユニット１１４は、ＬＴＥデバイス１０２が同じ期間にＬＴＥパケットを送信しているかどうかに関係なく、ＬＴＥ送信期間に、ＷＬＡＮパケットを送信することができる。言い換えると、ＷＬＡＮデバイス１１０およびＬＴＥデバイス１０２は、それぞれ、ＷＬＡＮパケットとＬＴＥパケットとを同時に送信することができる。図５Ａに示されるように、ＷＬＡＮデバイス１１０およびＬＴＥデバイス１０２は、それぞれ、ＬＴＥ送信期間５０２Ａの間に、ＷＬＡＮパケット５０６ＡとＬＴＥパケット５０８Ａとを同時に送信する。ＷＬＡＮデバイス１１０およびＬＴＥデバイス１０２は、それぞれ、ＬＴＥ送信期間５０２Ｃの間に、ＷＬＡＮパケット５０６ＣとＬＴＥパケット５０８Ｂとを同時に送信する。別の実装形態では、ＷＬＡＮ処理ユニット１１４は、ＬＴＥデバイス１０２がＬＴＥパケットを送信していない時にのみ、ＬＴＥ送信期間の間にＷＬＡＮパケットを送信することができる。図５Ａを参照すると、ＷＬＡＮ処理ユニット１１４は、ＬＴＥデバイス１０２がＬＴＥパケットを送信しない時に、ＬＴＥ送信期間５０２Ｂの間に、ＷＬＡＮパケット５０６Ｂを送信する。ＷＬＡＮ処理ユニット１１４は、ＬＴＥデバイス１０２がＬＴＥパケット５０８Ｃを送信する時は、ＬＴＥ送信期間５０２Ｄの間、ＷＬＡＮパケットを送信しない。いくつかの実装形態では（たとえば、ＷＬＡＮデバイスが８０２．１１  ｂ／ｇ通信規格を実装する場合）、ＷＬＡＮ処理ユニット１１４が（８０２．１１ｂ／ｇ通信規格に従って）送信される各ＷＬＡＮパケットに対する確認応答メッセージを受信できるように、ＷＬＡＮ処理ユニット１１４は、ＬＴＥ送信期間内で１つのＷＬＡＮパケットのみを送信できる。以下で説明されるように、ＷＬＡＮ処理ユニット１１４は、送信されるＷＬＡＮパケットに対する確認応答メッセージがＬＴＥ受信期間に（ＷＬＡＮデバイス１１０において）受信されるように、ＬＴＥ送信期間の終わりに向かって、ＷＬＡＮパケットの送信をスケジューリングすることができる。他の実装形態では（たとえば、ＷＬＡＮデバイス１１０が、ブロック−ＡＣＫ機構を組み込む８０２．１１ｎ通信規格を実装する場合）、ＷＬＡＮ処理ユニット１１４は、ＬＴＥ送信期間内に、任意の適切な数のＷＬＡＮパケットを送信することができる。この実装形態では、ＷＬＡＮ処理ユニット１１４は、ＬＴＥ送信期間が終わる前に送信され得る、ＷＬＡＮパケットの数を決定することができる。たとえば、ＷＬＡＮ処理ユニット１１４は、ＬＴＥ送信期間５０２Ａが終わる前に２つのＷＬＡＮパケットが送信され得ると、���定することができる。ＷＬＡＮパケットがＷＬＡＮアクセスポイントに送信された後で、フローはブロック４１０に続く。
【００７６】
ブロック４１０において、ＬＴＥ受信期間が開始するようにスケジューリングされているかどうかが、判定される。ＷＬＡＮ処理ユニット１１４がＷＬＡＮパケットをＷＬＡＮアクセスポイントに送信した後で、フロー４００はブロック４０８からブロック４１０に移る。ＬＴＥ送信期間に送信されるべきＷＬＡＮパケットがないとＷＬＡＮ処理ユニット１１４が判定すると、フロー４００はまた、ブロック４０６からブロック４１０に移る。干渉を最小にするために、ＷＬＡＮ共存ユニット１１２は、ＷＬＡＮ受信をＬＴＥ受信期間と揃えようとすることができる。言い換えると、図５Ａを参照すると、ＷＬＡＮ処理ユニット１１４は、ＬＴＥ送信期間５０２Ａ〜５０２Ｄの間にのみ、ＷＬＡＮパケットを送信することができる。ＬＴＥ受信期間（たとえばＬＴＥ受信期間５０４Ａ）が開始するようにスケジューリングされているかどうかを判定する際、ＷＬＡＮ共存ユニット１１２は、ＬＴＥ送信期間（たとえば、ＬＴＥ送信期間５０２Ａ）が所定の期間内で終わるかどうかを判定することができる。一実装形態では、所定の期間は、ＷＬＡＮデバイス１１０に宛てられたＷＬＡＮパケットに対する要求を（ＷＬＡＮアクセスポイントに）送信するのに必要な時間の長さに基づいて設定され得る。たとえば、ＷＬＡＮデバイス１１０がＰＳＰｏｌｌメッセージを使って、ＷＬＡＮデバイス１１０に宛てられたＷＬＡＮパケットを要求する場合、所定の期間は、ＰＳＰｏｌｌメッセージと関連付けられる送信継続時間に等しくてよい。ＬＴＥ受信期間が開始するようにスケジューリングされていると判定されると、フローはブロック４１２に続く。そうでなければ、フローはブロック４０４へと戻り、そこで、ＷＬＡＮ共存ユニット１１２は、ＷＬＡＮパケットがＬＴＥ送信期間の間のＷＬＡＮアクセスポイントへの送信に利用可能かどうかを、判定することができる。
【００７７】
ブロック４１２において、ＷＬＡＮデバイスに宛てられたＷＬＡＮパケットに対する要求は、ＷＬＡＮアクセスポイントに送信される。たとえば、ＬＴＥ受信期間が開始するようにスケジュールされているとＷＬＡＮ共存ユニット１１２が判定したことに応答して、ＷＬＡＮ処理ユニット１１４は、ＷＬＡＮアクセスポイントに問い合わせて、１つまたは複数のＷＬＡＮパケットがＷＬＡＮデバイス１１０のために利用可能かどうかを判定することができる。いくつかの実装形態では、ＬＴＥ受信期間が開始するようにスケジューリングされていると判定されると、ＷＬＡＮ共存ユニット１１２は、ＷＬＡＮデバイス１１０に、電力節減モードへと切り替えさせることができ、ＷＬＡＮ処理ユニット１１４に、ＷＬＡＮアクセスポイントからＷＬＡＮパケットを引き出す（または受信する）ための電力節減機構を使用させることができる。以下で説明されるように、図５Ｂを参照すると、ＷＬＡＮ処理ユニット１１４は、ＰＳＰｏｌｌメッセージ、Ｕｎｓｃｈｅｄｕｌｅｄ  Ａｕｔｏｍａｔｉｃ  Ｐｏｗｅｒ  Ｓａｖｅ  Ｄｅｌｉｖｅｒｙ（ＵＡＰＳＤ）メッセージ、ＮＵＬＬメッセージなどを送信して、ＷＬＡＮデバイス１１０に宛てられたＷＬＡＮパケットを（ＷＬＡＮアクセスポイントに）要求することができる。ＷＬＡＮ処理ユニット１１４は、ＷＬＡＮアクセスポイントからいつＷＬＡＮパケットを受信するかを制御できるので、ＬＴＥ受信期間と一致するようにＷＬＡＮ受信をスケジューリングすることができる。図５Ｂは、リモートＷＬＡＮアクセスポイントにＷＬＡＮパケットを要求するＷＬＡＮデバイス１１０を示す、例示的なタイミング図である。図５Ｂは、ＬＴＥ送信期間５０２Ａおよび５０２ＢとＬＴＥ受信期間５０４Ａおよび５０４Ｂとを示す。ＬＴＥ送信期間５０２Ａが終わるちょうど前に、ＷＬＡＮデバイス１１０は、ＰＳＰｏｌｌメッセージ５２０をＷＬＡＮアクセスポイントに送信して、もしあればＷＬＡＮアクセスポイントにＷＬＡＮパケットを要求する。ＬＴＥ送信期間５０２Ａが終わる前にＰＳＰｏｌｌメッセージ５２０を送信することで、ＷＬＡＮアクセスポイントからの確認応答メッセージ５３０がＬＴＥ受信期間５０４Ａの間に（ＷＬＡＮデバイス１１０において）受信されるのを、確実にすることができる。ＬＴＥ受信期間５０４Ａにおいて、ＷＬＡＮアクセスポイントはまた、ＷＬＡＮパケット５３４（たとえば、ＭＡＣサービスデータユニット（ＭＳＤＵ））をＷＬＡＮデバイス１１０に送信する。次のＬＴＥ送信期間５０２Ｂにおいて、ＷＬＡＮデバイス１１０は、確認応答メッセージ５２２をＷＬＡＮアクセスポイントに送信し、（ＬＴＥ送信期間５０２Ｂの終わりに向かって）別のＰＳＰｏｌｌメッセージ５２４をＷＬＡＮアクセスポイントに送信する。次のＬＴＥ受信期間５０４Ｂにおいて、ＷＬＡＮアクセスポイントは、確認応答メッセージ５３６とＷＬＡＮパケット５３８とをＷＬＡＮデバイス１１０に送信する。ＷＬＡＮデバイス１１０は、次のＬＴＥ送信期間において、別の確認応答メッセージ５２６を送信する。フローはブロック４１４に続く。
【００７８】
ブロック４１４において、ＷＬＡＮデバイスに宛てられた１つまたは複数のＷＬＡＮパケットが、ＷＬＡＮアクセスポイントから受信される。図５Ａを参照すると、ＷＬＡＮ処理ユニット１１４は、ＬＴＥ受信期間５０４Ａ、５０４Ｂ、５０４Ｃ、および５０４Ｄの間に、（ＷＬＡＮアクセスポイントから）ＷＬＡＮパケットを受信することができる。一実装形態では、ＷＬＡＮ処理ユニット１１４は、ＬＴＥデバイス１０２が同じ期間にＬＴＥパケットを受信しているかどうかに関係なく、ＬＴＥ受信期間に、ＷＬＡＮパケットを受信できることに留意されたい。言い換えると、ＷＬＡＮデバイス１１０およびＬＴＥデバイス１０２は、それぞれ、ＷＬＡＮパケットとＬＴＥパケットとを同時に受信することができる。図５Ａに示されるように、ＷＬＡＮデバイス１１０およびＬＴＥデバイス１０２は、それぞれ、ＬＴＥ受信期間５０４Ａの間に、ＷＬＡＮパケット５１０ＡとＬＴＥパケット５１２Ａとを同時に受信する。別の実装形態では、ＷＬＡＮ処理ユニット１１４は、ＬＴＥデバイス１０２がＬＴＥパケットを受信していない時にのみ、ＬＴＥ受信期間の間にＷＬＡＮパケットを受信することができる。図５Ａを参照すると、ＷＬＡＮ処理ユニット１１４は、ＬＴＥデバイス１０２がＬＴＥパケットを受信しない時に、それぞれ、ＬＴＥ受信期間５０４Ｃおよび５０４Ｄの間に、ＷＬＡＮパケット５１０Ｂと５１０Ｃとを受信する。ＷＬＡＮ処理ユニット１１４は、ＬＴＥデバイス１０２がＬＴＥパケット５１０Ｂを受信する時は、ＬＴＥ受信期間５０４Ｂの間、ＷＬＡＮパケットを受信しない。ＷＬＡＮパケット（もしあれば）がＷＬＡＮアクセスポイントから受信された後で、フローはブロック４０４へと戻り、そこで、ＷＬＡＮ共存ユニット１１２は、ＬＴＥ送信期間が進行中かどうかの判定を続ける。
【００７９】
いくつかの実装形態では、ＷＬＡＮデバイス１１０は、ＬＴＥ送信期間に、ＷＬＡＮアクセスポイントからビーコンメッセージを受信するようにスケジューリングされ得ることに、留意されたい。ＷＬＡＮデバイス１１０は、その間にＷＬＡＮデバイス１１０がＷＬＡＮアクセスポイントからビーコンメッセージを受信すると予測する、期間を（ＬＴＥデバイス１０２に）示し得る。たとえば、ＷＬＡＮデバイス１１０は、ＷＬＡＮデバイス１１０が１００ｍｓごとにビーコンメッセージを受信すると予測することを、（たとえば、インターフェース１２０を介して共存メッセージを送信することによって）ＬＴＥデバイス１０２に知らせることができる。ＬＴＥデバイス１０２は、ＷＬＡＮデバイスによるビーコンメッセージの受信と干渉しないように、ＬＴＥ通信を再スケジューリングすることができる。さらに、いくつかの実装形態では、ＷＬＡＮデバイス１１０は、ＷＬＡＮデバイス１１０がＷＬＡＮパケットの送信／受信を許可される期間の、正確なスケジュールを（ＷＬＡＮアクセスポイントに）伝えることができる。たとえば、図５Ａを参照すると、ＷＬＡＮデバイス１１０は、ＷＬＡＮデバイス１１０がＷＬＡＮ割当通信期間のＬＴＥ送信期間５０２Ａ〜５０２Ｄの間にＷＬＡＮパケットを送信できることと、ＬＴＥ受信期間５０４Ａ〜５０４Ｄの間にＷＬＡＮパケットを受信できることとを、示すことができる。別の実装形態では、ＷＬＡＮデバイス１１０は、ＬＴＥ送信期間の長さ、ＬＴＥ受信期間の長さ、ＬＴＥ受信期間の周期、および／またはＬＴＥ送信期間の周期を示すことができる。たとえば、ＷＬＡＮデバイス１１０は、ＷＬＡＮデバイス１１０が各々の連続する５ｍｓの期間内の２ｍｓの間にＷＬＡＮパケットを送信することを、示すことができる。
【００８０】
図６および図７は、ＬＴＥ通信スケジュールに従って、ＷＬＡＮ通信をスケジューリングしつつ、時間分割スケジューリング共存機構を実装するための例示的な動作を示す流れ図６００である。フロー６００は、ブロック６０２において開始する。
【００８１】
ブロック６０２において、ＷＬＡＮデバイスは、並置されたＬＴＥデバイスから、ＬＴＥ送信期間とＬＴＥ受信期間とを示すものを受信する。図１を参照すると、いくつかの実装形態では、ＷＬＡＮ共存ユニット１１２は、ＬＴＥ送信期間とＬＴＥ受信期間とを示すものを、ＬＴＥ共存ユニット１０４から受信することができる。一実装形態では、ＷＬＡＮ共存ユニット１１２は、インターフェース１２０を介して、並置されたＬＴＥデバイス１０２の存在を示す共存メッセージを（ＬＴＥ共存ユニット１０４から）受信することができる。共存メッセージは、ＬＴＥ送信期間とＬＴＥ受信期間とを示すものを備え得る。いくつかの実装形態では、ＬＴＥ共存ユニット１０４はまた、インターフェース１２０を介して送信される共存メッセージにおいて、ＬＴＥスケジュール情報１０８をＷＬＡＮ共存ユニット１１２に提供することができる。フローはブロック６０４に続く。
【００８２】
ブロック６０４において、ＷＬＡＮ割当通信期間およびＬＴＥ割当通信期間が、ＷＬＡＮデバイスで決定される。たとえば、ＷＬＡＮ共存ユニット１１２は、ＷＬＡＮ割当通信期間とＬＴＥ割当通信期間とを決定することができる。ＷＬＡＮ割当通信期間およびＬＴＥ割当通信期間は、ＬＴＥ送信期間、ＬＴＥ受信期間、ＬＴＥスケジュール情報１０８、ＷＬＡＮスケジュール情報１１６、ＷＬＡＮビーコン間隔、ＬＴＥフレーム間隔などのうちの１つまたは複数に基づいて決定され得る。他の実装形態では、ＷＬＡＮ割当通信期間およびＬＴＥ割当通信期間は、事前に定義されたデフォルト値であってよく、またはＷＬＡＮ共存ユニット１１２によって動的に設定可能であってよい。いくつかの実装形態では、ＷＬＡＮ共存ユニット１１２は、ＷＬＡＮ割当通信期間とＬＴＥ割当通信期間とに、等しい長さの時間を割り当てることができる。しかし、他の実装形態では、ＷＬＡＮ共存ユニット１１２は、ＷＬＡＮ割当通信期間とＬＴＥ割当通信期間とに、異なる長さの時間を割り当てることができる。上で説明されたように、ＷＬＡＮ割当通信期間およびＬＴＥ割当通信期間は、それぞれの通信のためにＷＬＡＮデバイス１１０およびＬＴＥデバイス１０２に対して割り当てられる、連続的かつ周期的に繰り返す間隔であってよい。たとえば、２０ｍｓの間隔が、ＷＬＡＮ送信およびＷＬＡＮ受信のために、ＷＬＡＮデバイス１１０に割り当てられ得る。次の連続する２０ｍｓの期間が、ＬＴＥ送信およびＬＴＥ受信のために、ＬＴＥデバイス１０２に割り当てられ得る。図８を参照すると、ＬＴＥ共存ユニット１０４は、ＬＴＥ送信期間８０２Ａ〜８０２Ｈと、ＬＴＥ受信期間８０４Ａ〜８０４Ｈとを、示すことができる。ＷＬＡＮ共存ユニット１１２は、ＷＬＡＮ割当通信期間８２０およびＬＴＥ割当通信期間８２２が各々、４つのＬＴＥ送信期間と４つのＬＴＥ受信期間とを備えると、決定することができる。図８に示される例では、ＷＬＡＮ割当通信期間８２０は、ＬＴＥ送信期間８０２Ａ〜８０２Ｄと、ＬＴＥ受信期間８０４Ａ〜８０４Ｄとを備える。ＬＴＥ割当通信期間８２２は、ＬＴＥ送信期間８０２Ｅ〜８０２Ｈと、ＬＴＥ受信期間８０４Ｅ〜８０４Ｈとを備える。以下で説明されるように、ＷＬＡＮ割当通信期間８２０において、ＷＬＡＮ処理ユニット１１４は、ＬＴＥ送信期間８０２Ａ〜８０２Ｄと一致するようにＷＬＡＮ送信をスケジューリングすることができ、ＬＴＥ受信期間８０４Ａ〜８０４Ｄと一致するようにＷＬＡＮ受信をスケジューリングすることができる。フローはブロック６０４に続く。フローはブロック６０６に続く。
【００８３】
ブロック６０６において、ＷＬＡＮ割当通信期間およびＬＴＥ割当通信期間の通知が、並置されたＬＴＥデバイスに提供される。たとえば、ＷＬＡＮ共存ユニット１１２は、ＷＬＡＮ割当通信期間８２０とＬＴＥ割当通信期間８２２との通知を、インターフェース１２０を介して共存メッセージを送信することによって、ＬＴＥ共存ユニット１０４に提供することができる。ＷＬＡＮ共存ユニット１１２はまた、ＬＴＥ割当通信期間が開始するようにスケジューリングされる時刻、または、ＬＴＥ割当通信期間が開始するまでの期間を、示すことができる。フローはブロック６０８に続く。
【００８４】
ブロック６０８において、ＷＬＡＮ割当通信期間が現在進行中であるかどうかが、判定される。たとえば、ＷＬＡＮ共存ユニット１１２は、ＷＬＡＮ割当通信期間８２０が現在進行中であるかどうかを判定することができる。上で説明されたように、ＷＬＡＮ処理ユニット１１４は、ＷＬＡＮ割当通信期間８２０の間にのみ、ＷＬＡＮパケットを送信することを許可され得る。ＷＬＡＮ割当通信期間８２０が現在進行中であると判定されると、フローはブロック６１０に続く。そうでなければ、フローは図７のブロック６１８に続く。
【００８５】
ブロック６１０において、ＬＴＥ送信期間が現在進行中であるかどうかが、判定される。たとえば、ＷＬＡＮ共存ユニット１１２は、ＷＬＡＮ割当通信期間８２０が現在進行中であると判定したことに応答して、ＬＴＥ送信期間８０２Ａ〜８０２Ｄが現在進行中かどうかを判定することができる。干渉を最小にするために、ＷＬＡＮ共存ユニット１１２は、ＷＬＡＮ割当通信期間８２０のＬＴＥ送信期間８０２Ａ〜８０２Ｄの間に、ＷＬＡＮパケットを送信しようとすることができる。いくつかの実装形態（図６に示されるような）では、ＬＴＥ送信期間が進行中ではないと判定されると、ＷＬＡＮ共存ユニット１１２は、ＷＬＡＮ割当通信期間がまだ進行中かどうかを判定することができる。他の実装形態では、ＬＴＥ送信期間が進行中ではないと判定されると、ＷＬＡＮ共存ユニット１１２は、ＬＴＥ受信期間が進行中であると、自動的に判定することができる（ＬＴＥ送信期間とＬＴＥ受信期間は連続的であり交互に現れる期間なので）。ＷＬＡＮ処理ユニット１１４は次いで、（たとえば、ＷＬＡＮパケットに対する前に送信された要求に応答するなどして）ＷＬＡＮアクセスポイントから１つまたは複数のＷＬＡＮパケットを受信することができる。別の実装形態では、ＬＴＥ送信期間が進行中ではないと判定されると、ＷＬＡＮデバイス１１０は、ＷＬＡＮパケットを送信し、ＷＬＡＮパケットを（ＷＬＡＮアクセスポイントに）要求するために、ＷＬＡＮ割当通信期間８２０の次のＬＴＥ送信期間の開始まで待機することができる。図６を参照すると、ＬＴＥ送信期間８０２Ａ〜８０２Ｄが現在進行中であると判定されると、フローはブロック６１２に続く。そうでなければ、フローはブロック６０８に戻る。
【００８６】
ブロック６１２において、１つまたは複数のＷＬＡＮパケットが、ＷＬＡＮデバイスが接続されているＷＬＡＮアクセスポイントに、送信される。ＷＬＡＮ共存ユニット１１２が、ＬＴＥ送信期間８０２Ａ〜８０２ＤがＷＬＡＮ割当通信期間８２０内で現在進行中であると判定すると、フロー６００はブロック６１０からブロック６１２に移る。図８は、ＷＬＡＮ処理ユニット１１４がＷＬＡＮパケットを送信できる可能性のある、期間を示す。図８では、ＷＬＡＮ処理ユニット１１４は、それぞれ、ＬＴＥ送信期間８０２Ａ、８０２Ｂ、８０２Ｃ、および８０２Ｄの間に、ＷＬＡＮパケット８０６Ａ、８０６Ｂ、８０６Ｃ、および８０６Ｄを送信することができる。いくつかの実装形態では、ＷＬＡＮ処理ユニット１１４は、１つまたは複数のＷＬＡＮパケットがＷＬＡＮアクセスポイントへの送信に利用可能であるかどうかを、判定することができる。利用可能であれば、ＷＬＡＮ処理ユニット１１４は、ＷＬＡＮ割当通信期間８２０のＬＴＥ送信期間が終わる前に送信され得る、ＷＬＡＮパケットの数を決定することができる。たとえば、ＷＬＡＮ処理ユニット１１４は、ＬＴＥ送信期間８０２Ａが終わる前に１つのＷＬＡＮパケットしか送信できないと、決定することができる。いくつかの実装形態では、ＷＬＡＮデバイス１１０は、８０２．１１ｎ通信規格を実装できるが、８０２．１１通信規格の古いバージョン（たとえば、８０２．１１  ｂ／ｇ通信規格）を実装するリモートＷＬＡＮアクセスポイントに接続され得ることに、留意されたい。この実装形態では、ＷＬＡＮデバイス１１０は、ＬＴＥ受信期間（たとえば、８０４Ａ、８０４Ｂ、８０４Ｃ、または８０４Ｄ）が開始するちょうど前に、ＷＬＡＮパケットの送信を停止することができる。これによって、リモートＷＬＡＮアクセスポイントが、ＬＴＥ受信期間に確認応答メッセージを提供できるようになり得る（よってすなわち、ＷＬＡＮデバイス１１０がＬＴＥ受信期間に確認応答メッセージを受信することができる）。ＷＬＡＮパケットがもしあればＷＬＡＮアクセスポイントに送信された後で、フローはブロック６１４に続く。
【００８７】
ブロック６１４において、ＬＴＥ受信期間が開始するようにスケジューリングされているかどうかが、判定される。ＷＬＡＮ処理ユニット１１４がＷＬＡＮパケットをＷＬＡＮアクセスポイントに送信した後で（または、送信すべきＷＬＡＮパケットがないとＷＬＡＮ処理ユニット１１４が判定すると）、フロー６００はブロック６１２からブロック６１４に移る。説明されるように、ＷＬＡＮ割当通信期間８２０のＬＴＥ受信期間（たとえばＬＴＥ受信期間８０４Ａ）が開始するようにスケジューリングされているかどうかを判定する際、ＷＬＡＮ共存ユニット１１２は、ＬＴＥ送信期間（たとえば、ＬＴＥ送信期間８０２Ａ）が所定の期間内（たとえば、ＰＳＰｏｌｌメッセージと関連付けられる送信継続時間）に終わるかどうかを判定することができる。ＷＬＡＮ割当通信期間８２０のＬＴＥ受信期間８０４Ａ〜８０４Ｄが開始するようにスケジューリングされていると判定されると、フローはブロック６１６に続く。そうでなければ、フローはブロック６０８へと戻り、そこで、ＷＬＡＮ共存ユニット１１２は、ＷＬＡＮ割当通信期間８２０およびＬＴＥ送信期間８０２Ａ〜８０２Ｄが現在進行中かどうかを、判定することができる。
【００８８】
ブロック６１６において、ＷＬＡＮデバイスに宛てられたＷＬＡＮパケットが、ＷＬＡＮアクセスポイントに要求され、ＷＬＡＮアクセスポイントから受信される。ＬＴＥデバイス１０２との干渉を最小にするために、ＷＬＡＮ処理ユニット１１４は、ＷＬＡＮ割当通信期間８２０のＬＴＥ受信期間８０４Ａ〜８０４Ｄの間に、ＷＬＡＮパケットを受信しようとすることができる。図８は、ＷＬＡＮ処理ユニット１１４がＷＬＡＮパケットを受信できる可能性のある、期間を示す。ＷＬＡＮ割当通信期間８２０において、ＷＬＡＮ処理ユニット１１４は、ＷＬＡＮパケット８１０Ａ、８１０Ｂ、８１０Ｃ、および８１０Ｄを、それぞれ、受信期間８０４Ａ、８０４Ｂ、８０４Ｃ、および８０４Ｄの間に、受信することができる。いくつかの実装形態では、図８に示されるように、ＬＴＥデバイス１０２が受信期間８０４Ａ〜８０４Ｄの間にＬＴＥパケット８１２Ａ〜８１２Ｄを受信するようにスケジューリングされていても（すなわち、同時のＷＬＡＮ受信およびＬＴＥ受信）、ＷＬＡＮ処理ユニット１１４は、ＷＬＡＮパケット８１０Ａ〜８１０Ｄを受信することができる。他の実装形態では、ＷＬＡＮ処理ユニット１１４は、ＬＴＥデバイス１０２がＬＴＥパケットを受信するようにスケジューリングされていない時にのみ、ＷＬＡＮパケットを受信することができる。図５Ｂを参照して上で説明されたように、ＷＬＡＮ処理ユニット１１４は、ＷＬＡＮ割当通信期間８２０のＬＴＥ送信期間８０２Ａ〜８０２Ｄが終わるちょうど前に、ＷＬＡＮアクセスポイントに問い合わせて（たとえば、ＰＳＰｏｌｌメッセージを送信することによって）、１つまたは複数のＷＬＡＮパケット（ＷＬＡＮデバイス１１０に宛てられた）がＷＬＡＮアクセスポイントにおいて利用可能かどうかを判定することができる。これによって、ＷＬＡＮ処理ユニット１１４が、ＷＬＡＮ割当通信期間８２０のＬＴＥ受信期間８０４Ａ〜８０４ＤにおいてＷＬＡＮパケット（または、ＷＬＡＮデバイス１１０に宛てられたＷＬＡＮパケットがないという通知）を受信することを、確実にすることができる。ブロック６１６から、フローはブロック６０８へと戻り、そこで、ＷＬＡＮ共存ユニット１１２は、ＷＬＡＮ割当通信期間８２０がまだ進行中かどうかを判定する。
【００８９】
図７のブロック６１８において、ＬＴＥ割当通信期間のＬＴＥ送信期間が現在進行中であるかどうかが、判定される。ＷＬＡＮ割当通信期間８２０が進行中ではない（すなわち、ＬＴＥ割当通信期間８２２が進行中である）と判定されると、フロー６００は図６のブロック６０８から図７のブロック６１８へと移る。たとえば、ＷＬＡＮ共存ユニット１１２は、ＬＴＥ割当通信期間８２２のＬＴＥ送信期間８０２Ｅ〜８０２Ｈが現在進行中かどうかを、判定することができる。ＬＴＥ送信期間８０２Ｅ〜８０２Ｈが現在進行中であると判定されると、フローはブロック６２０に続く。そうでなければ、フローは６２２に続き、そこで、ＷＬＡＮ共存ユニット１１２は、ＬＴＥ割当通信期間８２２のＬＴＥ受信期間８０４Ｅ〜８０４Ｈが進行中かどうかを、判定することができる。
【００９０】
ブロック６２０において、ＷＬＡＮ送信動作およびＷＬＡＮ受信動作が、ＷＬＡＮデバイスで中断される。たとえば、ＷＬＡＮ共存ユニット１１２は、ＷＬＡＮ処理ユニット１１４に、ＷＬＡＮ送信動作とＷＬＡＮ受信動作とを中止させることができる。ＷＬＡＮデバイス１１０がクライアントＷＬＡＮデバイスとして構成される場合、ＷＬＡＮ処理ユニット１１４は、ＬＴＥ割当通信期間のＷＬＡＮ送信を防ぐことができる。また、ＷＬＡＮ処理ユニット１１４は、ＷＬＡＮデバイス１１０に宛てられたＷＬＡＮパケットを送信するように、（たとえば、ＰＳＰｏｌｌメッセージを送信することによって）ＷＬＡＮアクセスポイントに促すことができない。言い換えると、ＷＬＡＮ共存ユニット１１２は、ＬＴＥデバイス１０２がＬＴＥパケットを送信するようにプログラムされる時にＷＬＡＮデバイス１１０がＷＬＡＮパケットを送信または受信していないことを、確実にすることができる。図８は、ＷＬＡＮ処理ユニット１１４がＷＬＡＮパケットの送信または受信を防がれ得る、期間を示す。図８において、ＷＬＡＮ処理ユニット１１４は、ＬＴＥ割当通信期間８２２のＬＴＥ送信期間８０２Ｅ、８０２Ｆ、８０２Ｇ、および８０２Ｈの間に、ＷＬＡＮパケットの送信または受信を防がれる。フローはブロック６２２に続く。
【００９１】
ブロック６２２において、ＬＴＥ受信期間が現在進行中であるかどうかが、判定される。ＷＬＡＮ共存ユニット１１２が、ＬＴＥ割当通信期間８２２のＬＴＥ送信期間８０２Ｅ〜８０２Ｈが現在進行中ではないと判定すると、フロー６００はまた、ブロック６１８からブロック６２４に移る。ＬＴＥ受信期間８０４Ｅ〜８０４Ｈが現在進行中であるとＷＬＡＮ共存ユニット１１２が判定すると、フローはブロック６２４に続く。そうでなければ、フローはブロック６２６へと戻り、そこで、ＷＬＡＮ共存ユニット１１２は、ＬＴＥ送信期間８２２がまだ進行中かどうかを判定することができる。
【００９２】
ブロック６２４において、ＷＬＡＮデバイスに宛てられたＷＬＡＮパケットが、ＷＬＡＮアクセスポイントから受信される。ＷＬＡＮ処理ユニット１１４は、ＬＴＥ割当通信期間８２２のＬＴＥ送信期間８０２Ｅ〜８０２Ｈの間、ＷＬＡＮパケットの送信を許可され得ないが、ＷＬＡＮ処理ユニット１１４は、ＬＴＥ割当通信期間８２２のＬＴＥ受信期間８０４Ｅ〜８０４Ｈの間、ＷＬＡＮパケットの受信を許可され得る。図８に示されるように、ＷＬＡＮ処理ユニット１１４は、ＷＬＡＮパケット８１０Ｅ、８１０Ｆ、８１０Ｇ、および８１０Ｈを、ＬＴＥ割当通信期間８２２の間の、ＬＴＥ受信期間８０４Ｅ、８０４Ｆ、８０４Ｇ、および８０４Ｈにおいてそれぞれ受信できる可能性がある。いくつかの実施形態では、ＷＬＡＮデバイス１１０は、ＷＬＡＮアクセスポイント（ＷＬＡＮデバイス１１０の接続される）がブロック確認応答をサポートする場合（たとえば、ＷＬＡＮデバイス１１０が、ブロック−ＡＣＫ機構を組み込むＩＥＥＥ８０２．１１ｎ通信規格を実装する場合）だけ、ＬＴＥ割当通信期間８２２のＬＴＥ受信期間８０４Ｅ〜８０４Ｈの間、ＷＬＡＮパケットの受信を許可され得る。これは、ＷＬＡＮデバイス１１０およびＷＬＡＮアクセスポイントがブロック−ＡＣＫをサポートする場合、ＷＬＡＮアクセスポイントは、各ＷＬＡＮパケットに対する確認応答メッセージを受信することを予測しないからである。したがって、ＷＬＡＮデバイス１１０は、ＬＴＥ割当通信期間８２２のＬＴＥ受信期間８０４Ｅ〜８０４Ｈの間、ＷＬＡＮアクセスポイントからＷＬＡＮパケットを受信することができ、ＷＬＡＮ通信期間に、１つの確認応答メッセージを送信することができる。フローはブロック６２６に続く。
【００９３】
ブロック６２６において、ＬＴＥ割当通信期間が進行中であるかどうかが、判定される。たとえば、ＷＬＡＮ共存ユニット１１２は、ＬＴＥ割当通信期間８２２が進行中であるかどうかを判定することができる。ＬＴＥ割当通信期間８２２が進行中であると判定されると、フローはブロック６１８に続き、そこで、ＷＬＡＮ共存ユニット１１２は、ＬＴＥ送信期間８０２Ｅ〜８０２Ｈが進行中かどうかを判定する。ＬＴＥ割当通信期間８２２が進行中ではないと判定されると、フローは図６のブロック６０８に続き、そこで、ＷＬＡＮ共存ユニット１１２は、ＷＬＡＮ割当通信期間８２０が進行中かどうか（およびＬＴＥ割当通信期間８２２が終わったかどうか）を判定する。
【００９４】
図６および図７は、ＷＬＡＮデバイス１１０がＷＬＡＮアクセスポイントに接続されたＷＬＡＮクライアントデバイスとして構成される場合のＷＬＡＮデバイス１１０の動作を説明するが、実施形態はそのようには限定されない。ＷＬＡＮデバイス１１０がＷＬＡＮアクセスポイントとして構成される実装形態では、ＷＬＡＮ処理ユニット１１４は、（たとえば、ＷＬＡＮ割当通信期間８２０の間に）通知を決定または受信して、インターフェース１２０を介して共存メッセージを送信することによって制御権をＬＴＥデバイス１０２にハンドオフしてＬＴＥ割当通信期間８２２を開始することができる。したがって、図２を参照して説明されたように、ＷＬＡＮデバイス１１０は、ＣＴＳ２ＳＥＬＦ制御メッセージを他のＷＬＡＮデバイスにブロードキャストして、ＷＬＡＮ通信を防ぐことができる。ＷＬＡＮデバイス１１０は、低出力状態に切り替わることができ、低出力状態では、ＷＬＡＮデバイス１１０は、ＷＬＡＮパケットの送信も受信も行わない。また、ＷＬＡＮデバイス１１０がＷＬＡＮアクセスポイントとして構成される場合、ＷＬＡＮデバイス１１０は、（ブロック６１２において）ＷＬＡＮパケットを１つまたは複数の接続されたＷＬＡＮデバイスに送信することができ、（ブロック６１６において）１つまたは複数の接続されたＷＬＡＮデバイスからＷＬＡＮパケットを受信することができる。さらに、いくつかの実装形態では、ＷＬＡＮデバイス１１０は、ＷＬＡＮアクセスポイントに（ＷＬＡＮデバイス１１０がクライアント局として構成される場合）、または接続されたＷＬＡＮ局に（ＷＬＡＮデバイス１１０がＷＬＡＮアクセスポイントとして構成される場合）、ＷＬＡＮデバイス１１０がＷＬＡＮパケットの送信／受信を許可される期間を、伝えることができる。たとえば、ＷＬＡＮデバイス１１０は、ＷＬＡＮデバイス１１０がＷＬＡＮ割当通信期間のＬＴＥ送信期間８０２Ａ〜８０２Ｄの間にＷＬＡＮパケットを送信できることと、ＬＴＥ受信期間８０４Ａ〜８０４Ｄの間にＷＬＡＮパケットを受信できることとを、示すことができる。
【００９５】
図６〜図７を参照して説明はされないが、ＬＴＥデバイス１０２はまた、フロー６００で説明された動作を実施して、ＬＴＥパケットを送受信するかどうか／いつ送受信するかを、決定するように構成され得る。ＬＴＥデバイス１０２は、ＴＤＤモード（たとえば、ＬＴＥバンド４０を使用した）とＦＤＤモード（たとえば、ＬＴＥバンド７を使用した）のいずれかで動作するように構成され得る。ＬＴＥ共存ユニット１０４は、（たとえば、インターフェース１２０を介して受信される共存メッセージに基づいて）並置されたＷＬＡＮデバイス１１０の存在を判定することができる。いくつかの実装形態では、ＬＴＥ共存ユニット１０４は、ＬＴＥスケジュール情報１０８をＷＬＡＮ共存ユニット１１２に提供することができ、ＷＬＡＮ割当通信期間とＬＴＥ割当通信期間とを示すものを、ＷＬＡＮ共存ユニット１１２から（インターフェース１２０を介して）受信することができる。別の実装形態では、ＬＴＥ共存ユニット１０４は、インターフェース１２０を介して、ＷＬＡＮデバイス１１０からＷＬＡＮスケジュール情報１１６を受信することができる。したがって、ＬＴＥ共存ユニット１０４は、ＷＬＡＮ割当通信期間とＬＴＥ割当通信期間とを決定することができる。ＬＴＥ共存ユニット１０４は次いで、ＷＬＡＮ割当通信期間とＬＴＥ割当通信期間とを示すものを、ＷＬＡＮデバイス１１０に提供することができる。さらに別の実装形態では、ＬＴＥ共存ユニット１０４は、ＷＬＡＮデバイス１１０からＷＬＡＮ通信期間を受信することができ、それに従って、ＬＴＥ割当通信期間を決定することができる。図８を参照すると、ＬＴＥデバイス１０２は、ＬＴＥ割当通信期間８２２の間に、通信すると決定することができる。ＬＴＥ共存ユニット１０４はまた、ＬＴＥ通信期間８２２内に入る、ＬＴＥ送信期間８０２Ｅ〜８０２ＨとＬＴＥ受信期間８０４Ｅ〜８０４Ｈとを決定することができる。
【００９６】
ＬＴＥ共存ユニット１０４は、ＬＴＥ割当通信期間８２２が現在進行中かどうかを判定し、ＬＴＥ処理ユニット１０６がＬＴＥパケットを送信するのを許可されるかどうかを、判定することができる。ＬＴＥ割当通信期間８２２が現在進行中である場合、ＬＴＥ共存ユニット１０４は、ＬＴＥ送信期間８０２Ｅ〜８０２Ｈの１つが現在進行中かどうかを判定することができる。ＬＴＥデバイス１０２は、ＬＴＥパケット８０８Ａ、８０８Ｂ、８０８Ｃ、および８０８Ｄを、ＬＴＥ割当通信期間８２２のＬＴＥ送信期間８０２Ｅ、８０２Ｆ、８０２Ｇ、および８０２Ｈの間にそれぞれ、（ＬＴＥ基地局に）送信することができる。いくつかの実装形態では、ＬＴＥ処理ユニット１０６は、１つまたは複数のＬＴＥパケットがＬＴＥ基地局への送信に利用可能であるかどうかを、判定することができる。利用可能であれば、ＬＴＥ処理ユニット１０６は、ＬＴＥ割当通信期間８２２のＬＴＥ送信期間が終わる前に送信され得る、ＬＴＥパケットの数を決定することができる。この実装形態では、ＬＴＥ処理ユニット１０６は、ＬＴＥ受信期間（たとえば、８０４Ｅ、８０４Ｆ、８０４Ｇ、または８０４Ｈ）が開始するちょうど前に、ＬＴＥパケットの送信を停止することができる。これによって、ＬＴＥ基地局が、ＬＴＥ受信期間に確認応答メッセージを提供できるようになり得る（よってすなわち、ＬＴＥ処理ユニット１０６がＬＴＥ受信期間に確認応答メッセージを受信することができる）。ＬＴＥ送信期間８０２Ｅ〜８０２Ｈの１つが現在進行中ではない場合、ＬＴＥ共存ユニット１０４は、ＬＴＥ受信期間８０４Ｅ〜８０４Ｈの１つが進行中であると、自動的に判定することができる（ＬＴＥ送信期間とＬＴＥ受信期間は連続的であり交互に現れる期間なので）。ＬＴＥデバイス１０２は、ＬＴＥパケット８１２Ｅ、８１２Ｆ、８１２Ｇ、および８１２Ｈを、ＬＴＥ割当通信期間８２２のＬＴＥ受信期間８０４Ｅ、８０４Ｆ、８０４Ｇ、および８０４Ｈの間にそれぞれ、（ＬＴＥ基地局から）受信することができる。
【００９７】
ＬＴＥ共存ユニット１０４はまた、ＬＴＥ割当通信期間８２２が所定の期間内で終わるようにスケジューリングされているかどうか（すなわち、ＷＬＡＮ割当通信期間８２０が開始するようにスケジューリングされているかどうか）を判定することができる。所定の期間が、ＬＴＥ基地局へ送信するためのＬＴＥユーザデータがないことを示す制御メッセージを（ＬＴＥ基地局へ）送信するのに（ＬＴＥ処理ユニット１０６が）必要とする期間として、選択され得る。ＷＬＡＮ割当通信期間８２０が開始するようにスケジューリングされていると判定されると、ＬＴＥ処理ユニット１０６は、制御メッセージをＬＴＥ基地局に送信することができる。ＬＴＥデバイス１０２は、ＷＬＡＮ割当通信期間８２０のＬＴＥ送信期間８０２Ａ〜８０２Ｄの間に、ＬＴＥパケットを送信できない。いくつかの実装形態では、ＬＴＥデバイス１０２は、ＷＬＡＮ割当通信期間８２０のＬＴＥ受信期間８０４Ａ〜８０４Ｄの間に、ＬＴＥパケットを受信できない。しかし、図８に示される他の実装形態では、ＬＴＥデバイス１０２は、ＬＴＥパケット８１２Ａ、８１２Ｂ、８１２Ｃ、および８１２Ｄを、ＷＬＡＮ割当通信期間８２０のＬＴＥ受信期間８０４Ａ、８０４Ｂ、８０４Ｃ、および８０４Ｄの間に、（ＬＴＥ基地局から）受信することが許可され得る。言い換えると、ＷＬＡＮ処理ユニット１１４およびＬＴＥ処理ユニット１０６は、任意のＬＴＥ受信期間において、ＷＬＡＮパケットとＬＴＥパケットとをそれぞれ同時に受信することができる。他の実装形態では、ＬＴＥ処理ユニット１０６は、ＷＬＡＮ処理ユニット１１４がＷＬＡＮパケットを受信するようにスケジューリングされていない場合のみ、ＷＬＡＮ割当通信期間８２０の間にＬＴＥパケットを受信することができる。さらに、いくつかの実装形態では、ＬＴＥデバイス１０２は電力節減モードで動作することができる。ＬＴＥデバイス１０２は、ＬＴＥデバイスがＬＴＥパケットをそれぞれ送信および受信することができる、ＬＴＥ送信期間８０２Ｅ〜８０２ＨとＬＴＥ受信期間８０４Ｅ〜８０４Ｈとを、ＬＴＥ基地局に対して示すことができる。したがって、ＬＴＥ基地局は、ＬＴＥ受信期間８０４Ｅ〜８０４Ｈにおいて、ＬＴＥパケットをＬＴＥデバイス１０２に送信することができる。
【００９８】
図９は、ＷＬＡＮデバイスがアクセスポイントとして構成される時の、ＷＬＡＮデバイスと並置されたＬＴＥデバイスとの間の周波数分離を最大化するための、例示的な動作を示す流れ図９００である。フロー９００は、ブロック９０２において開始する。
【００９９】
ブロック９０２において、並置されたＬＴＥデバイスが、アクセスポイントとして構成されたＷＬＡＮデバイスで検出される。一実装形態では、図１を参照すると、ＷＬＡＮ共存ユニット１１２は、並置されたＬＴＥデバイス１０２を特定する制御信号を（ＬＴＥ共存ユニット１０４から）受信することができる。たとえば、制御信号は、インターフェース１２０を介して送信されるデジタル信号（または共存メッセージ）であってよい。別の例として、制御信号は、物理的な線を介して送信される電圧レベルであってよい。別の実装形態では、ＷＬＡＮ共存ユニット１１２は、所定の位置にアクセスして（たとえば、フラグビットを読み取り）、ＬＴＥデバイス１０２がＷＬＡＮデバイス１１０と並置されているかどうか、かつ／または、並置されたＬＴＥデバイス１０２が有効かどうかを、判定することができる。フローはブロック９０４に続く。
【０１００】
ブロック９０４において、並置されたＬＴＥデバイスと関連付けられるＬＴＥ動作周波数バンドが、判定される。たとえば、ＷＬＡＮ共存ユニット１１２は、並置されたＬＴＥデバイスと関連付けられるＬＴＥ動作周波数バンドを判定することができる。いくつかの実装形態では、ＷＬＡＮ共存ユニット１１２は、ＬＴＥ動作周波数バンドを示すものを、制御信号または共存メッセージ（ブロック９０２において受信される）の一部として受信することができる。別の実装形態では、ＷＬＡＮ共存ユニット１１２は、所定の位置にアクセスして、並置されたＬＴＥデバイス１０２と関連付けられるＬＴＥ動作周波数バンドを判定することができる。フローはブロック９０６に続く。
【０１０１】
ブロック９０６において、ＬＴＥ動作周波数バンドから、少なくとも閾値の周波数分離だけ離された、１つまたは複数のＷＬＡＮ周波数チャネルが特定される。たとえば、ＷＬＡＮ共存ユニット１１２は、少なくとも閾値の周波数分離だけＬＴＥ動作周波数バンドから離された、１つまたは複数のＷＬＡＮ周波数チャネルを特定することができる。たとえば、並置されたＬＴＥデバイス１０２は、２．５ＧＨｚから２．６９ＧＨｚのＬＴＥ動作周波数バンドと関連付けられる、ＬＴＥバンド７を使用することができる。閾値の周波数分離が６８ＭＨｚとなるように選択されると、ＷＬＡＮ共存ユニット１１２は、２．４１２ＧＨｚ〜２．４３２ＧＨｚのＷＬＡＮ動作周波数を有するＷＬＡＮ周波数チャネル１〜５を特定することができる。フローはブロック９０８に続く。
【０１０２】
ブロック９０８において、ターゲットＷＬＡＮ周波数チャネルが、１つまたは複数の特定されたＷＬＡＮ周波数チャネルから選択される。たとえば、ＷＬＡＮ共存ユニット１１２は、１つまたは複数の特定されたＷＬＡＮ周波数チャネルから、ターゲットＷＬＡＮ周波数チャネルを選択することができる。一実装形態では、ＷＬＡＮ共存ユニット１１２は、ＬＴＥ動作周波数バンドから最も遠いＷＬＡＮ動作周波数を有するものとして、ターゲットＷＬＡＮ周波数チャネルを選択することができる。上の例を参照すると、並置されたＬＴＥデバイス１０２がＬＴＥバンド７を使用する場合、ＷＬＡＮ共存ユニット１１２は、ターゲットＷＬＡＮ周波数チャネルとして、（２．４１２ＧＨｚのＷＬＡＮ動作周波数を有する）ＷＬＡＮ周波数チャネル１を選択することができる。別の実装形態では、ＷＬＡＮ共存ユニット１１２は、少なくとも閾値の周波数分離だけＬＴＥ動作周波数バンドから離されたＷＬＡＮ動作周波数を有するＷＬＡＮ周波数チャネルの任意の１つを、（ターゲットＷＬＡＮ周波数チャネルとして）選択することができる。ターゲットＷＬＡＮ周波数チャネルを選択する際、ＷＬＡＮ共存ユニット１１２は、干渉／雑音源を考慮することもできる。たとえば、ＬＴＥ動作周波数バンドから最も遠いＷＬＡＮ周波数チャネル（たとえば、ＷＬＡＮ周波数チャネル１）が多くの雑音と干渉とを有する場合、ＷＬＡＮ共存ユニット１１２は、ターゲットＷＬＡＮ周波数チャネルとして、ＷＬＡＮ周波数チャネル２（または別の周波数チャネル）を選択することができる。言い換えると、ＷＬＡＮ共存ユニット１１２は、並置されたＬＴＥデバイス１０２と関連付けられるＬＴＥ動作周波数バンドからの十分な周波数分離と、ＷＬＡＮ周波数チャネル上での雑音／干渉との最適なバランスを維持するように、ターゲットＷＬＡＮ周波数チャネルを選択することができる。フローはブロック９１０に続く。
【０１０３】
ブロック９１０において、ターゲットＷＬＡＮ周波数チャネルが、１つまたは複数のＷＬＡＮデバイスとの通信に使われる。たとえば、ＷＬＡＮ共存ユニット１１２は、ＷＬＡＮデバイス１１０（たとえば、ＷＬＡＮ処理ユニット１１４）に、ターゲットＷＬＡＮ周波数チャネルを介して、１つまたは複数の他のＷＬＡＮデバイスと通信させることができる。たとえば、ＷＬＡＮ処理ユニット１１４は、ビーコンメッセージをブロードキャストし、ＷＬＡＮデバイス１１０の存在を通知し、ターゲットＷＬＡＮ周波数チャネルを介して他のＷＬＡＮデバイスとの後続の通信を開始することができる。ブロック９１０から、フローは終了する。
【０１０４】
図１０は、ＷＬＡＮデバイスがＷＬＡＮクライアント局として構成される時の、ＷＬＡＮデバイスと並置されたＬＴＥデバイスとの間の周波数分離を最大化するための、例示的な動作を示す流れ図１０００である。フロー１０００は、ブロック１００２において開始する。
【０１０５】
ブロック１００２において、並置されたＬＴＥデバイスが、クライアント局として構成されたＷＬＡＮデバイスで検出される。たとえば、上で説明されたのと同様に、ＷＬＡＮ共存ユニット１１２は、ＬＴＥ共存ユニット１０４から受信された指示（たとえば、制御信号、共存メッセージなど）、所定のメモリ位置の読み込みなどに基づいて、並置されたＬＴＥデバイス１０２を検出することができる。フローはブロック１００４に続く。
【０１０６】
ブロック１００４において、並置されたＬＴＥデバイスと関連付けられるＬＴＥ動作周波数バンドが、判定される。たとえば、上で説明されたのと同様に、ＷＬＡＮ共存ユニット１１２は、（ブロック１００２で受信された）並置されたＬＴＥデバイス１０２を特定する指示、所定のメモリ位置の読み込みなどに基づいて、並置されたＬＴＥデバイスと関連付けられるＬＴＥ動作周波数バンドを判定することができる。フローはブロック１００６に続く。
【０１０７】
ブロック１００６において、それとのＷＬＡＮ通信リンクが確立され得る、１つまたは複数のＷＬＡＮアクセスポイントが特定される。たとえば、ＷＬＡＮ処理ユニット１１４は、ＷＬＡＮデバイス１１０がＷＬＡＮ通信リンクを確立し得る、１つまたは複数のＷＬＡＮアクセスポイントを特定することができる。ＷＬＡＮ処理ユニット１１４は、利用可能なＷＬＡＮアクセスポイントを調べる（たとえば、ビーコンメッセージを聴取する、プローブ要求／応答メッセージを交換するなど）ことができ、（たとえば、ＷＬＡＮデバイス１１０に対するＷＬＡＮアクセスポイントの近接度、共有される通信パラメータなどに基づいて）自身がＷＬＡＮ通信リンクを確立し得るＷＬＡＮアクセスポイントを特定することができる。フローはブロック１００８に続く。
【０１０８】
ブロック１００８において、特定されたＷＬＡＮアクセスポイントの各々と関連付けられるＷＬＡＮ動作周波数が、判定される。たとえば、ＷＬＡＮ処理ユニット１１４は、ブロック１００６で特定されたＷＬＡＮアクセスポイントの各々と関連付けられる、ＷＬＡＮ動作周波数を判定することができる。ＷＬＡＮ処理ユニット１１４は、ＷＬＡＮアクセスポイントの各々（ブロック１００６で特定された）から、ビーコンメッセージを読み取り、プローブ要求メッセージを送信し、プローブ応答メッセージを受信するなどして、それぞれのＷＬＡＮ動作周波数を判定することができる。たとえば、ＷＬＡＮ処理ユニット１１４は、第１のＷＬＡＮアクセスポイントが（動作周波数が２．４１２ＧＨｚの）ＷＬＡＮチャネル１を使用し、第２のＷＬＡＮアクセスポイントが（動作周波数が２．４２２ＧＨｚの）ＷＬＡＮチャネル３を使用し、第３のＷＬＡＮアクセスポイントが（動作周波数が２．４６２ＧＨｚの）ＷＬＡＮチャネル１１を使用すると、判定することができる。フローはブロック１０１０に続く。
【０１０９】
ブロック１０１０において、ＬＴＥ動作周波数バンドから最も遠いＷＬＡＮ動作周波数と関連付けられるターゲットＷＬＡＮアクセスポイントが、特定される。たとえば、ＷＬＡＮ共存ユニット１１４は、ＬＴＥ動作周波数から十分離れているＷＬＡＮ動作周波数と関連付けられる、ブロック１００６で特定されたＷＬＡＮアクセスポイントの１つとして、ターゲットＷＬＡＮアクセスポイントを選択することができる。上記の例に関連して、並置されたＬＴＥデバイス１０２が、２．５ＧＨｚから２．６９ＧＨｚのＬＴＥ動作周波数バンドを有するＬＴＥバンド７を使用する場合、ＷＬＡＮ共存ユニット１１２は、ＷＬＡＮチャネル１を使用する第１のＷＬＡＮアクセスポイントを選択することができる。いくつかの実装形態では、ターゲットＷＬＡＮアクセスポイントを選択する際、ＷＬＡＮ共存ユニット１１２は、干渉／雑音源を考慮することもできる。たとえば、ＷＬＡＮチャネル１が大量の干渉／雑音にさらされているとＷＬＡＮ共存ユニット１１２が判定する場合、ＷＬＡＮ共存ユニット１１２は、別のＷＬＡＮ動作周波数と関連付けられる別のＷＬＡＮアクセスポイントを選択することができる。上の例では、ＷＬＡＮ共存ユニット１１２は、ＷＬＡＮチャネル３がＬＴＥ周波数バンド７から十分離れていると見なされる場合、ＷＬＡＮチャネル３を使用する第２のＷＬＡＮアクセスポイントを選択することができる。フローはブロック１０１２に続く。
【０１１０】
ブロック１０１２において、ＷＬＡＮ通信リンクが、ターゲットＷＬＡＮアクセスポイントに対して確立される。たとえば、ＷＬＡＮ処理ユニット１１４は、接続要求および応答メッセージ、認証要求および応答メッセージなどを、ターゲットＷＬＡＮアクセスポイントと交換して、ターゲットＷＬＡＮアクセスポイントとのＷＬＡＮ通信リンクを確立することができる。ブロック１０１２から、フローは終了する。
【０１１１】
図１０に関連して説明されてはいないが、ＷＬＡＮ共存ユニット１１２が、ＬＴＥ動作周波数バンドから十分離れていて許容可能な雑音レベルを有するＷＬＡＮ動作周波数を伴うＷＬＡＮアクセスポイントを、全く特定できない場合、ＷＬＡＮ共存ユニット１１２は、利用可能なＷＬＡＮアクセスポイントのいずれともＷＬＡＮ通信リンクを確立しないと決定することができ、追加のＷＬＡＮアクセスポイントの調査を続けられることに、留意されたい。
【０１１２】
図１〜図１０は、実施形態の理解を助けることを意図する例であり、実施形態を限定するため、または特許請求の範囲を限定するために使用されるべきではないことを理解されたい。実施形態は、追加の動作を実行し、より少数の動作を実行し、動作を異なる順序で実行し、動作を並列に実行し、一部の動作を異なるように実行することができる。通常、ＷＬＡＮデバイス１１０（たとえば、ＷＬＡＮアクセスポイントまたはＷＬＡＮクライアント局）が８０２．１１  ｂ／ｇ通信規格をサポートする場合（すなわち、ＷＬＡＮデバイス１１０がブロック−ＡＣＫをサポートしない場合）、ＷＬＡＮデバイス１１０は、ＷＬＡＮデバイス１１０がＷＬＡＮパケットを宛先のＷＬＡＮデバイスに送信する時に、確認応答（ＡＣＫ）メッセージを受信すると予想する。ＷＬＡＮデバイス１１０がＡＣＫメッセージを受信しない場合、ＷＬＡＮデバイス１１０は、ＡＣＫメッセージが受信されるまで、または最低の変調レベルに達するまで、変調レベルを徐々に下げて（たとえば、より低いデータレートで）ＷＬＡＮパケットを再送信することができる。しかし、そのようなレート後退手順は、パケットの送信時間を増大させ得る。いくつかの実装形態では、ＷＬＡＮ共存ユニット１１２がＷＬＡＮデバイス１１０と並置されたＬＴＥデバイス１０２を検出する場合、ＷＬＡＮ処理ユニット１１４は、ＷＬＡＮデバイス１１０が送信されたＷＬＡＮパケットに応答してＡＣＫメッセージを受信しなければ、レート後退手順を実施しなくてもよい。いくつかの実装形態では、ＷＬＡＮ処理ユニット１１４は、ＬＴＥデバイス１０２がＬＴＥパケットを送信／受信するようにスケジューリングされていると判定される場合、または、ＬＴＥ割当通信期間が開始すると判定される場合、レート後退手順を実施しなくてもよい。別の実装形態では、ＷＬＡＮ処理ユニット１１４は、並置されたＬＴＥデバイス１０２を検出すると、レート後退手順を無効にすることができる。ＷＬＡＮ処理ユニット１１４は、元の変調レベルでＷＬＡＮパケットを再送信することができる。別の実装形態では、ＷＬＡＮ処理ユニット１１４は、ＷＬＡＮパケットがＷＬＡＮ割当通信期間内により低い変調レベルで完全に再送信され得る場合のみ、レート後退手順を実施することができる。他の場合には、ＷＬＡＮ処理ユニット１１４は、より低い変調レベルでＷＬＡＮパケットを再送信するために、次のＷＬＡＮ割当通信期間まで待機することができる。これは、変調レベルを徐々に下げながらＷＬＡＮパケットを再送信することによる「アバランシェ」効果を防ぐことの、助けとなり得る。レート後退手順を防ぐことはまた、再送信されるＷＬＡＮパケットとＬＴＥパケットとのコリジョンを最小にすることの助けともなり得る。
【０１１３】
いくつかの実装形態では、ＷＬＡＮ共存ユニット１１２およびＬＴＥ共存ユニット１０４は、ＷＬＡＮスケジュール情報１１６とＬＴＥスケジュール情報１０８との競合を解決することが可能であり得ることにも、留意されたい。たとえば、インターフェース１２０を介して送信される共存メッセージを使って、ＷＬＡＮ共存ユニット１１２およびＬＴＥ共存ユニット１０４は、未解決のＷＬＡＮ通信とＬＴＥ通信の優先順位に基づいて、または通信の開始時間に基づいて、競合を解決することができる。
【０１１４】
実施形態は、完全にハードウェアの実施形態、完全にソフトウェアの実施形態（ファームウェア、常駐ソフトウェア、マイクロコードなどを含む）、または、本明細書では「回路」、「モジュール」、もしくは「システム」とすべてが全般に呼ばれ得る、ソフトウェアの態様とハードウェアの態様を組み合わせた実施形態という、形式をとり得る。さらに、本発明の主題の実施形態は、媒体中に具現化されるコンピュータ使用可能プログラムコードを有する表現物の、任意の有形な媒体中で具現化されるコンピュータプログラム製品という、形式をとり得る。説明された実施形態は、コンピュータプログラム製品またはソフトウェアとして提供されてよく、コンピュータプログラム製品またはソフトウェアは、すべての想定可能な実施形態の変形がここでは列挙されていないため、ここで説明されたものかどうかに関わらず、実施形態に従ってプロセスを実行するようにコンピュータシステム（または他の電子デバイス）をプログラムするために使われ得る命令を記憶した、機械可読媒体を含み得る。機械可読媒体は、機械（たとえば、コンピュータ）によって読取り可能な形式（たとえば、ソフトウェア、処理アプリケーション）で情報を記憶または送信するための任意の機構を含む。機械可読媒体は、非一時的機械可読記憶媒体、または一時的機械可読信号媒体であってよい。機械可読記憶媒体は、たとえば、限定はされないが、磁気記憶媒体（たとえば、フロッピー（登録商標）ディスケット）、光学記憶媒体（たとえば、ＣＤ−ＲＯＭ）、磁気光学記憶媒体、読取り専用メモリ（ＲＯＭ）、ランダムアクセスメモリ（ＲＡＭ）、消去可能プログラマブルメモリ（たとえば、ＥＰＲＯＭおよびＥＥＰＲＯＭ）、フラッシュメモリ、または、電子命令を記憶するのに適した他の種類の有形媒体を含み得る。機械可読信号媒体は、コンピュータ可読プログラムコードが組み込まれた伝搬されるデータ信号、たとえば、電気信号、光信号、音響信号、または他の形式の伝搬する信号（たとえば、搬送波、赤外線信号、デジタル信号など）を含み得る。機械可読媒体上に具現化されるプログラムコードは、限定はされないが、配線、ワイヤレス、光ファイバケーブル、ＲＦ、または他の通信媒体を含む、任意の適切な媒体を使用して送信され得る。
【０１１５】
実施形態の動作を実行するためのコンピュータプログラムコードは、Ｊａｖａ（登録商標）、Ｓｍａｌｌｔａｌｋ、Ｃ＋＋などのようなオブジェクト指向プログラミング言語と、「Ｃ」プログラミング言語または同様のプログラミング言語のような、従来の手続き型プログラミング言語とを含む、１つまたは複数のプログラミング言語の任意の組み合わせで書かれてよい。プログラムコードは、ユーザのコンピュータで全体が実行されてよく、ユーザのコンピュータで一部が実行されてよく、スタンドアロンのソフトウェアパッケージとして実行されてよく、ユーザのコンピュータで一部、さらにリモートコンピュータで一部が実行されてよく、または、リモートコンピュータもしくはサーバで全体が実行されてよい。最後の状況では、リモートコンピュータは、ローカルエリアネットワーク（ＬＡＮ）、パーソナルエリアネットワーク（ＰＡＮ）、もしくはワイドエリアネットワーク（ＷＡＮ）を含む、任意の種類のネットワークを通じてユーザのコンピュータに接続されてよく、または、接続は、（たとえば、インターネットサービスプロバイダーを使用してインターネットを通じて）外部のコンピュータに対して行われてよい。
【０１１６】
図１１は、いくつかの実施形態による、並置されたワイヤレス通信デバイス間の共存機構を含む、電子システム１１００のブロック図である。いくつかの実装形態では、電子システム１１００は、パーソナルコンピュータ（ＰＣ）、ラップトップ、タブレットコンピュータ、ネットブック、携帯電話、ゲームコンソール、または、並置されたＷＬＡＮデバイス１１１２とＬＴＥデバイス１１１８とを備える他の電子デバイスのうちの、１つであってよい。いくつかの実装形態では、ＬＴＥデバイス１１１８およびＷＬＡＮデバイス１１１２は、共通の回路基板（または近接した別個の回路基板）上の別個の集積回路（たとえば、別個のＬＴＥチップおよびＷＬＡＮチップ）で具現化され得る。他の実装形態では、ＬＴＥデバイス１１１８およびＷＬＡＮデバイス１１１２は、単一の集積回路（たとえば、ｓｙｓｔｅｍ  ｏｎ  ａ  ｃｈｉｐ（ＳｏＣ））上で具現化され得る。ＬＴＥデバイス１１１８およびＷＬＡＮデバイス１１１２は、ワイヤレス通信能力を有する様々な種類の電子デバイス（たとえば、携帯電話、ノートブックコンピュータ、タブレットコンピュータ、ゲームコンソール、パーソナルコンピュータなど）内に含まれ得る。電子システム１１００は、プロセッサユニット１１０２（場合によっては、複数のプロセッサ、複数のコア、複数のノードを含み、かつ／またはマルチスレッディングを実施するなど）を含む。電子システム１１００はメモリユニット１１０６を含む。メモリユニット１１０６は、システムメモリ（たとえば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ、ＮＲＡＭ、ＲＲＡＭ（登録商標）、ＳＯＮＯＳ、ＰＲＡＭなど）、または、機械可読媒体の上ですでに説明された可能な実現形態の任意の１つもしくは複数であってよい。電子システム１１００はまた、バス１１１０（たとえば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓなど）と、ワイヤレスネットワークインターフェース（たとえば、ＷＬＡＮインターフェース、Ｂｌｕｅｔｏｏｔｈ（登録商標）インターフェース、ＷｉＭＡＸインターフェース、ＺｉｇＢｅｅ（登録商標）インターフェース、Ｗｉｒｅｌｅｓｓ  ＵＳＢインターフェースなど）と有線ネットワークインターフェース（たとえば、Ｅｔｈｅｒｎｅｔ（登録商標）インターフェースなど）のうちの１つまたは複数を含むネットワークインターフェース１１０４とを含む。
【０１１７】
電子システム１１００は通信ユニット１１０８も含む。通信ユニット１１０８は、ＷＬＡＮデバイス１１１２とＬＴＥデバイス１１１８とを備える。いくつかの実装形態では、ＬＴＥデバイス１１１８は、ＬＴＥ処理ユニット１１２０に結合されるＬＴＥ共存ユニット１１２２を備える。ＷＬＡＮデバイス１１１２は、ＷＬＡＮ処理ユニット１１１６に結合されたＷＬＡＮ共存ユニット１１１４を備える。いくつかの実装形態では、図１〜図３を参照して説明されたように、ＷＬＡＮ共存ユニット１１１４およびＬＴＥ共存ユニット１１２２は、それぞれＷＬＡＮ割当通信期間とＬＴＥ割当通信期間内に、それぞれの通信をスケジューリングすることができる。別の実装形態では、図４〜図５を参照して説明されたように、ＷＬＡＮ共存ユニット１１１４は、ＷＬＡＮ送信がＬＴＥ送信期間と一致しＷＬＡＮ受信がＬＴＥ受信期間と一致するように、自身の通信をスケジューリングすることができる。別の実装形態では、図６〜図８を参照して説明されたように、ＷＬＡＮ共存ユニット１１１４は、ＷＬＡＮ割当通信期間のＬＴＥ送信期間内にＷＬＡＮ送信をスケジューリングすることができる。さらに、図９〜図１０で説明されたように、ＷＬＡＮ共存ユニット１１１４は、（ＷＬＡＮデバイス１１１２がアクセスポイントとして構成される時に）ＷＬＡＮ周波数チャネルを選択するための機能、または、（たとえば、ＷＬＡＮデバイス１１１２がクライアント局として構成される時に）ＷＬＡＮアクセスポイントの動作周波数に基づいてＷＬＡＮアクセスポイントを選択するための機能を備え得る。
【０１１８】
上で説明された機能のいずれも、ハードウェア中に、および／またはプロセッサユニット１１０２上に、部分的に（または全体が）実装され得る。たとえば、機能は、特定用途向け集積回路により実装され、プロセッサユニット１１０２中に実装される論理回路中に実装され、周辺デバイスもしくはカード上のコプロセッサ中に実装されるなどしてよい。さらに、実現形態は、図１１に示されないより少数のまたは追加のコンポーネント（たとえば、追加のネットワークインターフェース、周辺デバイスなど）を含み得る。プロセッサユニット１１０２およびネットワークインターフェース１１０４は、バス１１１０に結合される。バス１１１０に結合されるものとして示されるが、メモリ１１０６は、プロセッサユニット１１０２に結合されてよい。
【０１１９】
実施形態は、様々な実装形態および利用形態に関して説明されるが、これらの実施形態は例示的なものであり、本発明の主題の範囲はそれらに限定されないことが理解されよう。一般に、本明細書で説明されたような、並置されたＷＬＡＮ通信デバイスとＷＷＡＮ通信デバイスのための共存機構は、任意のハードウェアシステムまたは複数のハードウェアシステムと調和する設備によって実装され得る。多くの変形、修正、追加、および改善が可能である。
【０１２０】
単一の例として本明細書で説明されたコンポーネント、動作、または構造に対して、複数の例が実現され得る。最後に、様々なコンポーネント、動作、およびデータストアの間の境界は、ある程度任意であり、特定の動作は、特定の例示的な構成を前提に示されている。機能の他の割り当てが想定され、本発明の主題の範囲内に入り得る。一般に、例示的な構成において別個のコンポーネントとして提示された構造および機能は、組み合わされた構造またはコンポーネントとして実装され得る。同様に、単一のコンポーネントとして提示される構造および機能は、別個のコンポーネントとして実装され得る。これらの、および他の変形、修正、追加、ならびに改善が、本発明の主題の範囲内に入り得る。
【図１】
2015130675.tif 000003
【図２】
2015130675.tif 000004
【図３】
2015130675.tif 000005
【図４】
2015130675.tif 000006
【図５Ａ】
2015130675.tif 000007
【図５Ｂ】
2015130675.tif 000008
【図６】
2015130675.tif 000009
【図７】
2015130675.tif 000010
【図８】
2015130675.tif 000011
【図９】
2015130675.tif 000012
【図１０】
2015130675.tif 000013
【図１１】
2015130675.tif 000014
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
ワイヤレスワイドエリアネットワーク、すなわちＷＷＡＮデバイスとワイヤレスローカルエリアネットワーク、すなわちＷＬＡＮデバイスとの間の共存方法であって、
通信システムの前記ＷＷＡＮデバイスで、前記ＷＷＡＮデバイスと関連付けられるＷＷＡＮ通信期間と、前記通信システムの前記ＷＬＡＮデバイスと関連付けられるＷＬＡＮ通信期間とを決定することであって、前記ＷＷＡＮデバイスが前記ＷＬＡＮデバイスと結合される、決定することと、
前記ＷＷＡＮデバイスから、前記ＷＬＡＮ通信期間と前記ＷＷＡＮ通信期間とを示す共存信号を、前記ＷＬＡＮデバイスに提供することと、
前記ＷＷＡＮ通信期間が進行中かどうかを判定することと、
前記ＷＷＡＮ通信期間が進行中であると判定したことに応答して、ＷＷＡＮ通信動作を実行することと、
前記ＷＷＡＮ通信期間が進行中ではないと判定したことに応答して、ＷＷＡＮ通信動作を実行しないと決定することとを備える、方法。
【請求項２】
前記ＷＬＡＮデバイスが、電気電子技術者協会、すなわちＩＥＥＥ  ８０２．１１通信プロトコルを実装するように構成され、前記ＷＷＡＮデバイスが、Ｌｏｎｇ−Ｔｅｒｍ  ｅｖｏｌｕｔｉｏｎ、すなわちＬＴＥ通信プロトコルまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、すなわちＷｉＭＡＸ通信プロトコルを実装するように構成される、請求項１に記載の方法。
【請求項３】
前記共存信号を前記提供することが、
前記ＷＬＡＮデバイスと前記ＷＷＡＮデバイスとの間に結合される共存インターフェースを介して前記共存信号を提供することを備える、請求項１に記載の方法。
【請求項４】
前記ＷＷＡＮ通信動作を前記実行することが、
前記ＷＷＡＮデバイスで、前記ＷＷＡＮデバイスと通信する基地局から第１のＷＷＡＮパケットを受信することと、
前記ＷＷＡＮデバイスから、第２のＷＷＡＮパケットを前記基地局に送信することとから成るグループのうちの少なくとも１つのメンバーを備える、請求項１に記載の方法。
【請求項５】
前記ＷＷＡＮデバイスと通信する基地局へと、前記ＷＷＡＮ通信期間の長さと前記ＷＷＡＮ通信期間の周期とから成るグループのうちの少なくとも１つのメンバーを送信することをさらに備える、請求項１に記載の方法。
【請求項６】
前記ＷＷＡＮデバイスで、前記ＷＬＡＮデバイスから前記ＷＷＡＮデバイスへ提供されたデジタル制御信号に少なくとも一部基づいて、前記ＷＬＡＮデバイスを検出することをさらに備える、請求項１に記載の方法。
【請求項７】
前記ＷＷＡＮ通信期間と前記ＷＬＡＮ通信期間とを前記決定することが、ＷＬＡＮビーコン間隔と、ＷＷＡＮフレーム構造と、ＷＷＡＮ通信スケジュールと、ＷＬＡＮ通信スケジュールから成るグループのうちの少なくとも１つのメンバーに基づく、請求項１に記載の方法。
【請求項８】
前記ＷＷＡＮデバイスで、制御権を前記ＷＬＡＮデバイスへとハンドオフして前記ＷＬＡＮ通信期間を開始するかどうかを判定することと、
制御権を前記ＷＬＡＮデバイスへとハンドオフすると判定したことに応答して、前記ＷＬＡＮ通信期間のために低出力状態に前記ＷＷＡＮデバイスを切り替えることと、
制御権を前記ＷＬＡＮデバイスへとハンドオフしないと判定したことに応答して、１つまたは複数のＷＷＡＮ通信動作を実行することとをさらに備える、請求項１に記載の方法。
【請求項９】
前記ＷＷＡＮ通信期間と前記ＷＬＡＮ通信期間は、連続的であり、周期的に繰り返す期間である、請求項１に記載の方法。
【請求項１０】
ワイヤレスワイドエリアネットワーク、すなわちＷＷＡＮデバイスとワイヤレスローカルエリアネットワーク、すなわちＷＬＡＮデバイスとの間の共存方法であって、
通信システムの前記ＷＷＡＮデバイスで、前記ＷＷＡＮデバイスと関連付けられるＷＷＡＮ通信期間と、前記通信システムの前記ＷＬＡＮデバイスと関連付けられるＷＬＡＮ通信期間とを決定することであって、前記ＷＷＡＮデバイスが前記ＷＬＡＮデバイスと結合される、決定することと、
前記ＷＷＡＮデバイスで、前記ＷＷＡＮ通信期間または前記ＷＬＡＮ通信期間が進行中かどうかを判定することと、
前記ＷＷＡＮ通信期間が進行中であると判定したことに応答して、
前記ＷＷＡＮ通信期間の送信副期間が進行中である場合、ＷＷＡＮ送信動作を実行することと、
前記ＷＷＡＮ通信期間の受信副期間が進行中である場合、ＷＷＡＮ受信動作を実行することと、
前記ＷＬＡＮ通信期間が進行中であると判定したことに応答して、
前記ＷＬＡＮ通信期間の受信副期間が進行中である場合、前記ＷＷＡＮ受信動作を実行することと、
前記ＷＬＡＮ通信期間の送信副期間が進行中である場合、前記ＷＷＡＮ受信動作と前記ＷＷＡＮ送信動作とを実行しないと決定することとを備える、方法。
【請求項１１】
前記ＷＬＡＮデバイスが、電気電子技術者協会、すなわちＩＥＥＥ  ８０２．１１通信プロトコルを実装するように構成され、前記ＷＷＡＮデバイスが、Ｌｏｎｇ−Ｔｅｒｍ  ｅｖｏｌｕｔｉｏｎ、すなわちＬＴＥ通信プロトコルまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、すなわちＷｉＭＡＸ通信プロトコルを実装するように構成される、請求項１０に記載の方法。
【請求項１２】
前記ＷＷＡＮデバイスから前記ＷＬＡＮデバイスへと、前記ＷＷＡＮ通信期間と前記ＷＬＡＮ通信期間とを示す共存信号を提供することをさらに備える、請求項１０に記載の方法。
【請求項１３】
前記ＷＷＡＮ通信期間と前記ＷＬＡＮ通信期間とを前記決定することが、
前記デバイスで、前記ＷＬＡＮデバイスから、前記ＷＷＡＮ通信期間と前記ＷＬＡＮ通信期間とを示す共存信号を受信することを備える、請求項１０に記載の方法。
【請求項１４】
前記ＷＷＡＮデバイスと通信する基地局へと、前記ＷＷＡＮ通信期間、前記ＷＷＡＮ通信期間の前記送信副期間、および前記ＷＷＡＮ通信期間の前記受信副期間から成るグループのうちの少なくとも１つのメンバーを示すものを送信することをさらに備える、請求項１０に記載の方法。
【請求項１５】
前記ＷＷＡＮデバイスから前記ＷＬＡＮデバイスへと、前記ＷＬＡＮ通信期間、前記ＷＷＡＮ通信期間、前記ＷＷＡＮ通信期間の前記送信副期間と前記受信副期間、および前記ＷＬＡＮ通信期間の前記送信副期間と前記受信副期間から成るグループのうちの少なくとも１つのメンバーを示す共存信号を提供することをさらに備える、請求項１０に記載の方法。
【請求項１６】
前記ＷＷＡＮデバイスで、前記ＷＷＡＮデバイスと関連付けられる送信副期間の長さと、前記ＷＷＡＮデバイスと関連付けられる受信副期間の長さとに少なくとも一部基づいて、前記ＷＷＡＮ通信期間の前記送信副期間と前記受信副期間、および前記ＷＬＡＮ通信期間の前記送信副期間と前記受信副期間を決定することをさらに備える、請求項１０に記載の方法。
【請求項１７】
前記ＷＷＡＮデバイスで、前記ＷＷＡＮ通信期間が所定の期間内に終わるようにスケジューリングされていると判定することと、
前記ＷＷＡＮ通信期間が前記所定の期間内に終わるようにスケジューリングされていると判定したことに応答して、前記ＷＷＡＮデバイスから、前記ＷＷＡＮデバイスと通信する基地局に制御メッセージを送信することであって、前記制御メッセージは、前記ＷＷＡＮデバイスが前記ＷＬＡＮ通信期間中にＷＷＡＮデータを送信しないことを前記基地局に示す、送信することとをさらに備える、請求項１０に記載の方法。
【請求項１８】
前記所定の期間が、前記基地局に送信されるべき前記制御メッセージと関連付けられる送信継続時間に少なくとも一部基づく、請求項１７に記載の方法。
【請求項１９】
前記ＷＬＡＮデバイスに結合された前記ＷＷＡＮデバイスが、
前記通信システムの集積回路内で前記ＷＬＡＮデバイスと並置された前記ＷＷＡＮデバイスと、
前記通信システムの回路基板上で前記ＷＬＡＮデバイスと並置された前記ＷＷＡＮデバイスと、
前記通信システムの別個の回路基板上に実装される、前記ＷＷＡＮデバイスおよび前記ＷＬＡＮデバイスと
のうちの１つを備える、請求項１０に記載の方法。
【請求項２０】
通信システムのワイヤレスワイドエリアネットワーク、すなわちＷＷＡＮデバイスであって、
プロセッサと、
前記プロセッサに結合されたネットワークインターフェースと、
前記プロセッサと前記ネットワークインターフェースに結合された共存ユニットとを備え、前記共存ユニットが、
前記ＷＷＡＮデバイスと関連付けられるＷＷＡＮ通信期間と、前記通信システムのワイヤレスローカルエリアネットワーク、すなわちＷＬＡＮデバイスと関連付けられるＷＬＡＮ通信期間とを決定し、ここにおいて、前記ＷＷＡＮデバイスが前記ＷＬＡＮデバイスと結合される、
前記ＷＷＡＮ通信期間または前記ＷＬＡＮ通信期間が進行中かどうかを判定し、
前記ＷＷＡＮ通信期間が進行中であると判定したことに応答して、
前記ＷＷＡＮ通信期間の送信副期間が進行中である場合、ＷＷＡＮ送信動作を実行し、
前記ＷＷＡＮ通信期間の受信副期間が進行中である場合、ＷＷＡＮ受信動作を実行し、
前記ＷＬＡＮ通信期間が進行中であると判定したことに応答して、
前記ＷＬＡＮ通信期間の受信副期間が進行中である場合、前記ＷＷＡＮ受信動作を実行し、
前記ＷＬＡＮ通信期間の送信副期間が進行中である場合、前記ＷＷＡＮ受信動作と前記ＷＷＡＮ送信動作とを実行しないと決定するように構成される、ＷＷＡＮデバイス。
【請求項２１】
前記ＷＬＡＮデバイスが、電気電子技術者協会、すなわちＩＥＥＥ  ８０２．１１通信プロトコルを実装するように構成され、前記ＷＷＡＮデバイスが、Ｌｏｎｇ−Ｔｅｒｍ  ｅｖｏｌｕｔｉｏｎ、すなわちＬＴＥ通信プロトコルまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、すなわちＷｉＭＡＸ通信プロトコルを実装するように構成される、請求項２０に記載のＷＷＡＮデバイス。
【請求項２２】
前記共存ユニットが、前記ＷＬＡＮデバイスへと、前記ＷＷＡＮ通信期間と前記ＷＬＡＮ通信期間とを示す共存信号を提供するようにさらに構成される、請求項２０に記載のＷＷＡＮデバイス。
【請求項２３】
前記共存ユニットが、前記ＷＬＡＮデバイスから受信された共存信号に少なくとも一部基づいて、前記ＷＷＡＮ通信期間と前記ＷＬＡＮ通信期間とを決定するように構成される、請求項２０に記載のＷＷＡＮデバイス。
【請求項２４】
１つまたは複数のプロセッサによって実行されると、前記１つまたは複数のプロセッサに動作を実行させる命令を記憶した機械可読記憶媒体であって、前記動作が、
通信システムのワイヤレスワイドエリアネットワーク、すなわちＷＷＡＮデバイスと関連付けられるＷＷＡＮ通信期間と、前記通信システムのワイヤレスローカルエリアネットワーク、すなわちＷＬＡＮデバイスと関連付けられるＷＬＡＮ通信期間とを決定することであって、前記ＷＷＡＮデバイスが前記ＷＬＡＮデバイスと結合される、決定することと、
前記ＷＷＡＮ通信期間または前記ＷＬＡＮ通信期間が進行中かどうかを判定することと、
前記ＷＷＡＮ通信期間が進行中であると判定したことに応答して、
前記ＷＷＡＮ通信期間の送信副期間が進行中である場合、ＷＷＡＮ送信動作を実行することと、
前記ＷＷＡＮ通信期間の受信副期間が進行中である場合、ＷＷＡＮ受信動作を実行することと、
前記ＷＬＡＮ通信期間が進行中であると判定したことに応答して、
前記ＷＬＡＮ通信期間の受信副期間が進行中である場合、前記ＷＷＡＮ受信動作を実行することと、
前記ＷＬＡＮ通信期間の送信副期間が進行中である場合、前記ＷＷＡＮ受信動作と前記ＷＷＡＮ送信動作とを実行しないと決定することとを備える、機械可読記憶媒体。
【請求項２５】
前記ＷＬＡＮデバイスが、電気電子技術者協会、すなわちＩＥＥＥ  ８０２．１１通信プロトコルを実装するように構成され、前記ＷＷＡＮデバイスが、Ｌｏｎｇ−Ｔｅｒｍ  ｅｖｏｌｕｔｉｏｎ、すなわちＬＴＥ通信プロトコルまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、すなわちＷｉＭＡＸ通信プロトコルを実装するように構成される、請求項２４に記載の機械可読記憶媒体。
【請求項２６】
前記動作が、前記ＷＷＡＮデバイスから前記ＷＬＡＮデバイスへと、前記ＷＷＡＮ通信期間と前記ＷＬＡＮ通信期間とを示す共存信号を提供することをさらに備える、請求項２４に記載の機械可読記憶媒体。
【請求項２７】
前記動作が、前記ＷＷＡＮデバイスで、前記ＷＬＡＮデバイスから、前記ＷＷＡＮ通信期間と前記ＷＬＡＮ通信期間とを示す共存信号を受信することをさらに備える、請求項２４に記載の機械可読記憶媒体。
【手続補正２】
【補正対象書類名】明細書
【補正対象項目名】０１２０
【補正方法】変更
【補正の内容】
【０１２０】
単一の例として本明細書で説明されたコンポーネント、動作、または構造に対して、複数の例が実現され得る。最後に、様々なコンポーネント、動作、およびデータストアの間の境界は、ある程度任意であり、特定の動作は、特定の例示的な構成を前提に示されている。機能の他の割り当てが想定され、本発明の主題の範囲内に入り得る。一般に、例示的な構成において別個のコンポーネントとして提示された構造および機能は、組み合わされた構造またはコンポーネントとして実装され得る。同様に、単一のコンポーネントとして提示される構造および機能は、別個のコンポーネントとして実装され得る。これらの、および他の変形、修正、追加、ならびに改善が、本発明の主題の範囲内に入り得る。
以下に、出願当初の特許請求の範囲に記載された発明を付記する。
［Ｃ１］
通信システムのワイヤレスワイドエリアネットワーク（ＷＷＡＮ）デバイスから、前記ＷＷＡＮデバイスと関連付けられるＷＷＡＮ通信スケジュールを、前記通信システムのワイヤレスローカルエリアネットワーク（ＷＬＡＮ）デバイスに提供することであって、前記ＷＷＡＮデバイスが前記ＷＬＡＮデバイスと結合される、提供することと、
前記ＷＷＡＮデバイスで、ＷＷＡＮ通信動作を実行するための前記ＷＷＡＮデバイスと関連付けられるＷＷＡＮ通信期間と、ＷＬＡＮ通信動作を実行するための前記ＷＬＡＮデバイスと関連付けられるＷＬＡＮ通信期間とを、前記ＷＬＡＮデバイスから受信された共存信号に少なくとも一部基づいて決定することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中であると判定したことに応答して、前記１つまたは複数のＷＷＡＮ通信動作を実行することと、
前記ＷＷＡＮデバイスで、前記ＷＷＡＮ通信期間が進行中ではないと判定したことに応答して、前記１つまたは複数のＷＷＡＮ通信動作を実行しないと決定することとを備える、方法。
［Ｃ２］
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、Ｃ１に記載の方法。
［Ｃ３］
前記ＷＬＡＮ通信期間および前記ＷＷＡＮ通信期間が、連続的であり、周期的に繰り返す期間である、Ｃ１に記載の方法。
［Ｃ４］
前記ＷＷＡＮ通信期間が進行中であると判定したことに応答して、前記１つまたは複数のＷＷＡＮ通信動作を前記実行することがさらに、
前記ＷＷＡＮデバイスの接続される基地局から、１つまたは複数のＷＷＡＮパケットを受信することと、
前記ＷＷＡＮデバイスの接続される前記基地局へ、１つまたは複数のＷＷＡＮパケットを送信することとのうちの少なくとも１つを備える、Ｃ１に記載の方法。
［Ｃ５］
前記ＷＷＡＮ通信期間が進行中であると判定したことに応答して、
前記ＷＷＡＮデバイスで、制御権を前記ＷＬＡＮデバイスへとハンドオフして前記ＷＬＡＮ通信期間を開始するかどうかを判定することと、
制御権を前記ＷＬＡＮデバイスへとハンドオフして前記ＷＬＡＮ通信期間を開始すると判定したことに応答して、前記基地局へ送信するためのＷＷＡＮデータが前記ＷＷＡＮデバイスにないことを示す制御メッセージを、前記ＷＷＡＮデバイスの接続される基地局に送信することと、
制御権を前記ＷＬＡＮデバイスにハンドオフしないと判定したことに応答して、前記１つまたは複数のＷＷＡＮ通信動作の実行を継続することとを備える、Ｃ１に記載の方法。
［Ｃ６］
前記基地局へ送信するための前記ＷＷＡＮデータが前記ＷＷＡＮデバイスにないことを示す前記制御メッセージを前記送信したことに応答して、
前記ＷＷＡＮデバイスで、前記ＷＬＡＮ通信期間のために低出力状態に切り替えることをさらに備える、Ｃ５に記載の方法。
［Ｃ７］
制御権を前記ＷＬＡＮデバイスにハンドオフして前記ＷＬＡＮ通信期間を開始するかどうかを前記判定することがさらに、
前記ＷＷＡＮデバイスで、前記ＷＷＡＮ通信期間が所定の期間内に終わるようにスケジューリングされているかどうかを判定することを備え、前記所定の期間が、前記基地局へ送信するための前記ＷＷＡＮデータが前記ＷＷＡＮデバイスにないことを示す前記制御メッセージと関連付けられる送信継続時間に少なくとも一部基づく、Ｃ５に記載の方法。
［Ｃ８］
通信システムのワイヤレスワイドエリアネットワーク（ＷＷＡＮ）デバイスで、ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＷＡＮデバイスから、前記ＷＬＡＮデバイスと関連付けられる前記ＷＬＡＮ通信期間と前記ＷＷＡＮデバイスと関連付けられる前記ＷＷＡＮ通信期間とを示す共存信号を、前記ＷＬＡＮデバイスに提供することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中であると判定したことに応答して、前記１つまたは複数のＷＷＡＮ通信動作を実行することと、
前記ＷＷＡＮデバイスで、前記ＷＷＡＮ通信期間が進行中ではないと判定したことに応答して、前記１つまたは複数のＷＷＡＮ通信動作を実行しないと決定することとを備える、方法。
［Ｃ９］
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、Ｃ８に記載の方法。
［Ｃ１０］
前記ＷＬＡＮデバイスと関連付けられる前記ＷＬＡＮ通信期間と前記ＷＷＡＮデバイスと関連付けられる前記ＷＷＡＮ通信期間とを示す前記共存信号を前記ＷＷＡＮデバイスに前記提供することが、
前記ＷＬＡＮデバイスと前記ＷＷＡＮデバイスとの間に結合される共存インターフェースを介して、前記共存信号を送信することを備える、Ｃ８に記載の方法。
［Ｃ１１］
前記ＷＷＡＮデバイスの接続される基地局へと、前記ＷＷＡＮ通信期間の長さと前記ＷＷＡＮ通信期間の周期とのうちの少なくとも１つを送信することをさらに備える、Ｃ８に記載の方法。
［Ｃ１２］
前記ＷＷＡＮデバイスで、前記ＷＬＡＮデバイスから前記ＷＷＡＮデバイスへ提供されたデジタル制御信号に少なくとも一部基づいて、前記ＷＬＡＮデバイスを検出することをさらに備える、Ｃ８に記載の方法。
［Ｃ１３］
前記ＷＷＡＮデバイスと関連付けられる前記ＷＷＡＮ通信期間と前記ＷＬＡＮデバイスと関連付けられる前記ＷＬＡＮ通信期間とを前記決定することが、ＷＬＡＮビーコン間隔と、ＷＷＡＮフレーム構造と、ＷＷＡＮ通信スケジュールと、ＷＬＡＮ通信スケジュールとのうちの少なくとも１つに基づく、Ｃ８に記載の方法。
［Ｃ１４］
前記ＷＷＡＮ通信期間が進行中であると判定したことに応答して、
前記ＷＷＡＮデバイスで、制御権を前記ＷＬＡＮデバイスへとハンドオフして前記ＷＬＡＮ通信期間を開始するかどうかを判定することと、
制御権を前記ＷＬＡＮデバイスへとハンドオフして前記ＷＬＡＮ通信期間を開始すると判定したことに応答して、前記基地局へ送信するためのＷＷＡＮデータが前記ＷＷＡＮデバイスにないことを示す制御メッセージを、前記ＷＷＡＮデバイスの接続される基地局に送信することと、
制御権を前記ＷＬＡＮデバイスにハンドオフしないと判定したことに応答して、前記１つまたは複数のＷＷＡＮ通信動作の実行を継続することとをさらに備える、Ｃ８に記載の方法。
［Ｃ１５］
制御権を前記ＷＬＡＮデバイスにハンドオフして前記ＷＬＡＮ通信期間を開始するかどうかを前記判定することがさらに、
前記ＷＷＡＮデバイスで、前記ＷＷＡＮ通信期間が所定の期間内に終わるようにスケジューリングされているかどうかを判定することを備え、前記所定の期間が、前記基地局へ送信するための前記ＷＷＡＮデータが前記ＷＷＡＮデバイスにないことを示す前記制御メッセージと関連付けられる送信継続時間に少なくとも一部基づく、Ｃ１４に記載の方法。
［Ｃ１６］
通信システムのワイヤレスワイドエリアネットワーク（ＷＷＡＮ）デバイスで、ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＬＡＮ通信期間と前記ＷＷＡＮ通信期間の各々と関連付けられる、１つまたは複数の送信副期間と１つまたは複数の受信副期間とを決定することと、
前記ＷＷＡＮデバイスで、前記ＷＷＡＮ通信期間が進行中かどうかを判定し、１つまたは複数のＷＷＡＮ通信動作を実行するかどうかを判定することと、
前記ＷＷＡＮデバイスで、前記ＷＷＡＮ通信期間が進行中ではないと判定したことに応答して、前記１つまたは複数のＷＷＡＮ通信動作を実行しないと決定することと、
前記ＷＷＡＮ通信期間が進行中であると判定したことに応答して、
前記ＷＷＡＮデバイスで、前記ＷＷＡＮ通信期間と関連付けられる前記１つまたは複数の送信副期間の１つが進行中かどうかを判定することと、
前記ＷＷＡＮデバイスで、前記ＷＷＡＮ通信期間と関連付けられる前記１つまたは複数の送信副期間の前記１つが進行中であると判定したことに応答して、１つまたは複数のＷＷＡＮ送信動作を実行することと、
前記ＷＷＡＮデバイスで、前記ＷＷＡＮ通信期間と関連付けられる前記１つまたは複数の送信副期間の前記１つが進行中ではないと判定したことに応答して、前記１つまたは複数の受信副期間の１つの間に１つまたは複数のＷＷＡＮ受信動作を実行することとを備える、方法。
［Ｃ１７］
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、Ｃ１６に記載の方法。
［Ｃ１８］
前記ＷＷＡＮデバイスと関連付けられる前記ＷＷＡＮ通信期間と前記ＷＬＡＮデバイスと関連付けられる前記ＷＬＡＮ通信期間とを前記決定することが、
前記ＷＷＡＮデバイスで、前記ＷＷＡＮデバイスと関連付けられる前記ＷＷＡＮ通信期間と前記ＷＬＡＮデバイスと関連付けられる前記ＷＬＡＮ通信期間とを計算することと、
前記ＷＷＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供することとを備える、Ｃ１６に記載の方法。
［Ｃ１９］
前記ＷＷＡＮデバイスと関連付けられる前記ＷＷＡＮ通信期間と前記ＷＬＡＮデバイスと関連付けられる前記ＷＬＡＮ通信期間とを前記決定することが、
前記ＷＷＡＮデバイスで、前記ＷＬＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示すものを受信することを備える、Ｃ１６に記載の方法。
［Ｃ２０］
前記ＷＷＡＮデバイスの接続される基地局へと、前記ＷＬＡＮ通信期間、前記ＷＷＡＮ通信期間、ならびに、前記ＷＬＡＮ通信期間と前記ＷＷＡＮ通信期間の各々と関連付けられる前記１つまたは複数の送信副期間および１つまたは複数の受信副期間のうちの、少なくとも１つを示すものを送信することをさらに備える、Ｃ１６に記載の方法。
［Ｃ２１］
前記ＷＷＡＮデバイスから、前記ＷＬＡＮデバイスと関連付けられる前記ＷＬＡＮ通信期間と、前記ＷＷＡＮデバイスと関連付けられる前記ＷＷＡＮ通信期間と、送信副期間の長さと、受信副期間の長さとのうちの少なくとも１つを示す、共存信号を前記ＷＬＡＮデバイスに提供することをさらに備える、Ｃ１６に記載の方法。
［Ｃ２２］
前記ＷＷＡＮデバイスと関連付けられる送信副期間の長さおよび前記ＷＷＡＮデバイスと関連付けられる受信副期間の長さに少なくとも一部基づいて、前記ＷＷＡＮデバイスで、前記ＷＬＡＮ通信期間と前記ＷＷＡＮ通信期間の各々と関連付けられる、前記１つまたは複数の送信副期間と前記１つまたは複数の受信副期間とを決定することをさらに備える、Ｃ１６に記載の方法。
［Ｃ２３］
前記ＷＷＡＮ通信期間と関連付けられる前記１つまたは複数の送信副期間の前記１つが進行中であると判定したことに応答して、
前記ＷＷＡＮ通信期間が所定の期間内に終わるようにスケジューリングされているかどうかを判定することと、
前記ＷＷＡＮ通信期間が前記所与の期間内に終わるようにスケジューリングされていると判定したことに応答して、前記基地局へ送信するためのＷＷＡＮデータが前記ＷＷＡＮデバイスにないことを示す制御メッセージを、前記ＷＷＡＮデバイスの接続される基地局に提供することとをさらに備える、Ｃ１６に記載の方法。
［Ｃ２４］
前記所定の期間が、前記基地局へ送信するための前記ＷＷＡＮデータが前記ＷＷＡＮデバイスにないことを示す前記制御メッセージを送信することと関連付けられる送信継続時間に少なくとも一部基づく、Ｃ２３に記載の方法。
［Ｃ２５］
前記ＷＬＡＮデバイスと結合される前記ＷＷＡＮデバイスが、
共通の集積回路内で前記ＷＬＡＮデバイスと並置された前記ＷＷＡＮデバイスと、
共通の回路基板上で前記ＷＬＡＮデバイスと並置された前記ＷＷＡＮデバイスと、
互いに近接した別個の回路基板上に実装される、前記ＷＷＡＮデバイスおよび前記ＷＬＡＮデバイスとのうちの１つを備える、Ｃ１６に記載の方法。
［Ｃ２６］
通信システムのワイヤレスワイドエリアネットワーク（ＷＷＡＮ）デバイスであって、
プロセッサと、
前記プロセッサに結合されたネットワークインターフェースと、
前記プロセッサと前記ネットワークインターフェースに結合されたＷＷＡＮ共存ユニットとを備え、前記ＷＷＡＮ共存ユニットが、
ＷＷＡＮ通信動作を実行するための前記ＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定し、前記ＷＷＡＮデバイスが前記ＷＬＡＮデバイスと結合され、前記ＷＷＡＮ共存ユニットがさらに、
前記ＷＬＡＮ通信期間と前記ＷＷＡＮ通信期間の各々と関連付けられる、１つまたは複数の送信副期間と１つまたは複数の受信副期間とを決定し、
前記ＷＷＡＮ通信期間が進行中かどうかを判定して、１つまたは複数のＷＷＡＮ通信動作を実行するかどうかを判定し、
前記ＷＷＡＮ通信期間が進行中ではないと前記ＷＷＡＮ共存ユニットが判定したことに応答して、前記１つまたは複数のＷＷＡＮ通信動作を実行しないと決定し、
前記ＷＷＡＮ通信期間が進行中であると前記ＷＷＡＮ共存ユニットが判定したことに応答して、
前記ＷＷＡＮ通信期間と関連付けられる前記１つまたは複数の送信副期間の１つが進行中かどうかを判定し、
前記ＷＷＡＮデバイスで、前記ＷＷＡＮ通信期間と関連付けられる前記１つまたは複数の送信副期間の前記１つが進行中であると前記ＷＷＡＮ共存ユニットが判定したことに応答して、１つまたは複数のＷＷＡＮ送信動作を実行し、
前記ＷＷＡＮデバイスで、前記ＷＷＡＮ通信期間と関連付けられる前記１つまたは複数の送信副期間の前記１つが進行中ではないと前記ＷＷＡＮ共存ユニットが判定したことに応答して、前記１つまたは複数の受信副期間の１つの間に１つまたは複数のＷＷＡＮ受信動作を実行するように動作可能である、ＷＷＡＮデバイス。
［Ｃ２７］
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、Ｃ２６に記載のＷＷＡＮデバイス。
［Ｃ２８］
前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットが、
前記ＷＷＡＮデバイスと関連付けられる前記ＷＷＡＮ通信期間と前記ＷＬＡＮデバイスと関連付けられる前記ＷＬＡＮ通信期間とを計算し、
前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供するように動作可能な前記ＷＷＡＮ共存ユニットを備える、Ｃ２６に記載のＷＷＡＮデバイス。
［Ｃ２９］
前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットが、
前記ＷＬＡＮデバイスから受信された共存信号に基づいて、前記ＷＷＡＮデバイスと関連付けられる前記ＷＷＡＮ通信期間と前記ＷＬＡＮデバイスと関連付けられる前記ＷＬＡＮ通信期間とを決定するように動作可能な前記ＷＷＡＮ共存ユニットを備える、Ｃ２６に記載のＷＷＡＮデバイス。
［Ｃ３０］
前記ＷＷＡＮ通信期間と関連付けられる前記１つまたは複数の送信副期間の前記１つが進行中であると前記ＷＷＡＮ共存ユニットが判定したことに応答して、前記ＷＷＡＮ共存ユニットがさらに、
前記ＷＷＡＮ通信期間が所定の期間内に終わるようにスケジューリングされているかどうかを判定し、
前記ＷＷＡＮ通信期間が前記所与の期間内に終わるようにスケジューリングされていると前記ＷＷＡＮ共存ユニットが判定したことに応答して、前記基地局へ送信するためのＷＷＡＮデータが前記ＷＷＡＮデバイスにないことを示す制御メッセージを、前記ＷＷＡＮデバイスの接続される基地局に提供するように動作可能である、Ｃ２６に記載のＷＷＡＮデバイス。
［Ｃ３１］
前記所定の期間が、前記基地局へ送信するための前記ＷＷＡＮデータが前記ＷＷＡＮデバイスにないことを示す前記制御メッセージを送信することと関連付けられる送信継続時間に少なくとも一部基づく、Ｃ３０に記載のＷＷＡＮデバイス。
［Ｃ３２］
１つまたは複数のプロセッサによって実行されると、前記１つまたは複数のプロセッサに動作を実行させる命令を記憶した、１つまたは複数の機械可読記憶媒体であって、前記動作が、
ワイヤレスワイドエリアネットワーク（ＷＷＡＮ）通信動作を実行するための通信システムのＷＷＡＮデバイスと関連付けられるＷＷＡＮ通信期間と、ワイヤレスローカルエリアネットワーク（ＷＬＡＮ）通信動作を実行するための前記通信システムのＷＬＡＮデバイスと関連付けられるＷＬＡＮ通信期間とを決定することであって、前記ＷＷＡＮデバイスが前記ＷＬＡＮデバイスと結合される、決定することと、
前記ＷＬＡＮ通信期間と前記ＷＷＡＮ通信期間の各々と関連付けられる、１つまたは複数の送信副期間と１つまたは複数の受信副期間とを決定することと、
前記ＷＷＡＮ通信期間が進行中かどうかを判定して、１つまたは複数のＷＷＡＮ通信動作を実行するかどうかを判定することと、
前記ＷＷＡＮ通信期間が進行中ではないと判定したことに応答して、前記１つまたは複数のＷＷＡＮ通信動作を実行しないと決定することと、
前記ＷＷＡＮ通信期間が進行中であると判定したことに応答して、
前記ＷＷＡＮ通信期間と関連付けられる前記１つまたは複数の送信副期間の１つが進行中かどうかを判定することと、
前記ＷＷＡＮ通信期間と関連付けられる前記１つまたは複数の送信副期間の前記１つが進行中であると判定したことに応答して、１つまたは複数のＷＷＡＮ送信動作を実行することと、
前記ＷＷＡＮ通信期間と関連付けられる前記１つまたは複数の送信副期間の前記１つが進行中ではないと判定したことに応答して、前記１つまたは複数の受信副期間の１つの間に１つまたは複数のＷＷＡＮ受信動作を実行することとを備える、機械可読記憶媒体。
［Ｃ３３］
前記ＷＬＡＮデバイスが、電気電子技術者協会（ＩＥＥＥ）８０２．１１ｂデバイス、ＩＥＥＥ  ８０２．１１ｇデバイス、またはＩＥＥＥ  ８０２．１１ｎデバイスを備え、前記ＷＷＡＮデバイスが、Ｌｏｎｇ−Ｔｅｒｍ  ｅｖｏｌｕｔｉｏｎ（ＬＴＥ）デバイスまたはＷｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）デバイスを備える、Ｃ３２に記載の機械可読記憶媒体。
［Ｃ３４］
前記ＷＷＡＮデバイスと関連付けられる前記ＷＷＡＮ通信期間と前記ＷＬＡＮデバイスと関連付けられる前記ＷＬＡＮ通信期間とを決定する前記動作が、
前記ＷＷＡＮデバイスと関連付けられる前記ＷＷＡＮ通信期間と前記ＷＬＡＮデバイスと関連付けられる前記ＷＬＡＮ通信期間とを計算することと、
前記ＷＷＡＮデバイスと関連付けられる前記ＷＷＡＮ通信期間と前記ＷＬＡＮデバイスと関連付けられる前記ＷＬＡＮ通信期間とを示す共存信号を、前記ＷＬＡＮデバイスに提供することとを備える、Ｃ３２に記載の機械可読記憶媒体。
［Ｃ３５］
前記ＷＷＡＮデバイスと関連付けられる前記ＷＷＡＮ通信期間と前記ＷＬＡＮデバイスと関連付けられる前記ＷＬＡＮ通信期間とを決定する前記動作が、
前記ＷＬＡＮデバイスから、前記ＷＷＡＮデバイスと関連付けられる前記ＷＷＡＮ通信期間と前記ＷＬＡＮデバイスと関連付けられる前記ＷＬＡＮ通信期間とを示すものを受信することを備える、Ｃ３２に記載の機械可読記憶媒体。
【外国語明細書】
2015130675000001.pdf